(57)【要約】受けた画像データは、アーティファクトを削除するために及び所望の目標出力に関連付けられた情報を回復するために、画像処理を用いて、改善された画像データを生成するように改善される。画像のセグメンテーションは、特定の画像ベースの基準に関して、改善された画像データをコヒーレント領域に区分化することによって、セグメント化された画像データを生成するために、使用可能な改善された画像データに対して実行される。使用可能なセグメント化された画像データ及び補助データは、前処理済みデータとしてニューラルネットワークへの入力のために前処理される。前処理されたデータは、学習、検証、及びテストのデータサブセットに分割される。ニューラルネットワークアーキテクチャは、前処理されたデータを処理するために特定され、特定されたニューラルネットワークアーキテクチャは、前処理されたデータを用いて実行される。特定されたニューラルネットワークの出力は、後処理データとして後処理される。後処理されたデータは、後処理されたデータが所望の出力結果を満たすか否かを特定するために、後処理されたデータに関連付けられた既知の値の範囲と比較される。【特許請求の範囲】
【請求項１】
アーティファクトを除去すると共に所望の目標出力に関連付けられた情報を回復するために、受信した画像データを改善して、画像処理を用いて、改善された画像データを生成するステップと；
セグメント化された画像データを生成するために、特定の画像ベースの基準に関して前記改善された画像データをコヒーレント領域に区分化することによって、使用可能な改善された画像データに対して画像セグメンテーションを実行するステップと；
前処理されたデータとしてニューラルネットワークへの入力のために、補助データ及び使用可能なセグメント化された画像データを前処理するステップと；
前記前処理されたデータを学習、検証、及びテストのデータサブセットに分割するステップと；
前記前処理されたデータを処理するためにニューラルネットワークアーキテクチャを特定するステップと；
前記前処理されたデータを用いて、該特定されたニューラルネットワークアーキテクチャを実行するステップと；
後処理されたデータとして前記特定されたニューラルネットワークの出力を後処理するステップと；
前記後処理されたデータが所望の出力結果を満たすかどうかを特定するために、前記後処理されたデータを、前記後処理されたデータに関連付けられた既知の値範囲と比較するステップと；を備える
コンピュータにより実施される方法。
【請求項２】
画像の改善は、貯留層、坑井サイト、又は坑井コアの状態に関連付けられたパラメータ及び１又は複数の石油物理的特性に基づいており、前記画像データに対して実行された画像改善技術の数及び順序は、画像フォーマット又は画像サイズに基づき変わり、
前記改善された画像データに対して実行された画像セグメンテーション技術の数及び順序は、画像フォーマット、画像サイズ、又は必要な結果に基づき変化する、
請求項１に記載の方法。
【請求項３】
前記改善された画像データ及び前記セグメント化された画像データの有用性を特定するステップを更に備える、
請求項１に記載の方法。
【請求項４】
前記受信した使用可能なセグメント化された画像データは、前記使用可能なセグメント化された画像データから導出されたデータセットの数及びタイプに基づくパーセンテージに従って、学習、検証、及びテストの前記データサブセットに、クラス分けのために分割される、
請求項１に記載の方法。
【請求項５】
学習、検証、及びテストの前記データサブセットにおける前記使用可能なセグメント化された画像データが、連続又は離散データ源からであるか否かを特定するステップを更に備える、
請求項１に記載の方法。
【請求項６】
前記ニューラルネットワークアーキテクチャは、教師有り又は教師無しのいずれかであり、前記教師有りニューラルネットワークアーキテクチャは、リカレントニューラルネットワークタイプ又はフィードフォワードニューラルネットワークタイプを含み、前記教師無しニューラルネットワークアーキテクチャは、推定器又は抽出器のニューラルネットワークタイプを含む。
請求項１に記載の方法。
【請求項７】
他の石油物理的特性を導出するために、又は新しいデータ関係を生成するために、前記後処理されたデータに対して追加の処理を実行するステップを更に備える、
請求項１に記載の方法。
【請求項８】
コンピュータにより読み出し可能な非一時的な媒体であって、該媒体は、以下の動作を実行するコンピュータシステムによって実行可能な１又は複数の命令を格納しており、前記動作は：
アーティファクトを除くために及び望ましい目標出力に関連付けられた情報を回復するために、画像処理を用いて、受けた画像データを改善して改善された画像データを生成する；
特定の画像ベースの基準に関して、前記改善された画像データをコヒーレント領域に区分化することによって、使用可能な改善された画像データに対して画像セグメンテーションを実行して、セグメント化された画像データを生成する；
前処理されたデータとしてニューラルネットワーク内への入力のために補助データ及び使用可能なセグメント化された画像データを前処理する；
前記前処理されたデータを学習、検証、及びテストのデータサブセットに分割する；
前記前処理されたデータを処理するために、ニューラルネットワークアーキテクチャを特定する；
前記前処理されたデータを用いて、前記特定されたニューラルネットワークアーキテクチャを実行する；
後処理されたデータとして、前記特定されたニューラルネットワークの出力を後処理する；及び
前記後処理されたデータが所望の出力結果を満たすかどうかを特定するために、前記後処理されたデータを、前記後処理されたデータに関連付けられた既知の値範囲と比較する；ことを含む
媒体。
【請求項９】
画像の改善は、貯留層、坑井サイト、又は坑井コアの状態に関連付けられたパラメータ及び１又は複数の石油物理的特性に基づいており、前記画像データに対して実行された画像改善技術の数及び順序は、画像フォーマット又は画像サイズに基づき変化しており、
前記改善された画像データに対して実行された画像セグメンテーション技術の数及び順序は、画像フォーマット、画像サイズ、又は必要な結果に基づき変化する、
請求項８に記載の媒体。
【請求項１０】
前記改善された画像データ及び前記セグメント化された画像データの有用性を特定するために１又は複数の命令を更に含む、
請求項８に記載の媒体。
【請求項１１】
前記受けた使用可能なセグメント化された画像データは、前記使用可能なセグメント化された画像データから導出されたデータセットの数及びタイプに基づきパーセンテージに従って、クラス分けのために、学習、検証、及びテストの前記サブセットに分割される、
請求項８に記載の媒体。
【請求項１２】
学習、検証、及びテストの前記データサブセットにおける前記使用可能なセグメント化された画像データが連続又は離散データ源からのものである否かを特定するために１又は複数の命令を更に備える、
請求項８に記載の媒体。
【請求項１３】
前記ニューラルネットワークアーキテクチャが教師有り又は教師無しであり、ここで、前記教師有りニューラルネットワークアーキテクチャは、リカレントニューラルネットワークタイプ又はフィードフォワードニューラルネットワークタイプを含み、ここで、前記教師無しニューラルネットワークアーキテクチャは、推定器又は抽出器のニューラルネットワークタイプを含む、
請求項８に記載の媒体。
【請求項１４】
他の石油物理的特性を導出するために又は新しいデータ関係を生成するために前記後処理されたデータに対して追加の処理を実行するための１又は複数の命令を更に備える、
請求項８に記載の媒体。
【請求項１５】
コンピュータにより実施されるシステムであって：
１又は複数のコンピュータと；
１又は複数のコンピュータメモリデバイスと；を備え、
ｆ前記コンピュータメモリデバイスは、１又は複数のコンピュータと相互利用可能に結合され、また機械により読み出し可能であり有形の非一時的な媒体を有し、該媒体は、一又は複数の命令を格納しており、該命令は、前記１又は複数のコンピュータによって実行されるとき、以下の動作を実行し、前記動作は：
アーティファクトを除くために及び望ましい目標出力に関連付けられた情報を回復するために、画像処理を用いて、受けた画像データを改善して改善された画像データを生成する；
セグメント化された画像データを生成するために、特定の画像ベースの基準に関して、前記改善された画像データをコヒーレント領域に区分化することによって、使用可能な改善された画像データに対して画像セグメンテーションを実行する；
前処理されたデータとしてニューラルネットワーク内への入力のための補助データ及び使用可能なセグメント化された画像データを前処理する；
前記前処理されたデータを学習、検証、及びテストのデータサブセットに分割する；
前記前処理されたデータを処理するために、ニューラルネットワークアーキテクチャを特定する；
前記前処理されたデータを用いて、前記特定されたニューラルネットワークアーキテクチャを実行する；
後処理されたデータとして、前記特定されたニューラルネットワークの出力を後処理する；及び
前記後処理されたデータが所望の出力結果を満たすかどうかを特定するために、前記後処理されたデータを、前記後処理されたデータに関連付けられた既知の値範囲と比較する；ことを含む、
システム。
【請求項１６】
画像の改善は、貯留層、坑井サイト、又は坑井コアの状態に関連付けられたパラメータ及び１又は複数の石油物理的特性に基づいており、前記画像データに対して実行された画像改善技術の数及び順序は、画像フォーマット又は画像サイズに基づき変化しており、
前記改善された画像データに対して実行された画像セグメンテーション技術の数及び順序は、画像フォーマット、画像サイズ、又は必要な結果に基づき変化する、
請求項１５に記載のシステム。
【請求項１７】
前記改善された画像データ及び前記セグメント化された画像データの有用性を特定するために１又は複数の命令を更に備える、
請求項１５に記載のシステム。
【請求項１８】
前記受けた使用可能なセグメント化された画像データは、前記使用可能なセグメント化された画像データから導出されたデータセットの数及びタイプに基づきパーセンテージに従って、クラス分けのために、学習、検証、及びテストの前記データサブセットに分割される、
請求項１５に記載のシステム。
【請求項１９】
学習、検証、及び、テストの前記データサブセットにおける前記使用可能なセグメント化された画像データが、連続又は離散データ源からであるか否かを特定するための１又は複数の命令を更に備える、
請求項１５に記載のシステム。
【請求項２０】
前記ニューラルネットワークアーキテクチャは、教師有り又は教師無しのいずれかであり、ここで、前記教師有りニューラルネットワークアーキテクチャは、リカレントニューラルネットワークタイプ又はフィードフォワードニューラルネットワークタイプを含み、前記教師無しニューラルネットワークアーキテクチャは、推定器又は抽出器のニューラルネットワークタイプを含む、
請求項１５に記載のシステム。
【請求項２１】
他の石油物理的特性を導出するために又は新しいデータ関係を生成するために、前記後処理されたデータに対して追加の処理を実行するための１又は複数の命令を更に備える、
請求項１５に記載のシステム。
【発明の詳細な説明】
【背景技術】
【０００１】
優先権主張
本出願は、２０１７年９月１５日に提出された米国仮出願番号６２／５５９０２４に対する優先権を主張し、その内容は、参照により本明細書に組み入れられる。
【０００２】
炭化水素の回収において、炭化水素貯留層の基本的な石油物理的特性は、透過性、間隙率、飽和、及び残留炭化水素飽和を含む。これらの石油物理特性は、物理的な坑井コアから推測されることができ、例えば方向、場所、応力条件、及び流体タイプの関数として非線形に変化する。浸透率の層位学的な坑井間分布を知ることは、炭化水素貯留層の性能を予測することへの鍵となる。様々な坑井から収集された石油物理的特性は、生産現場全体に拡張されることができ、特定の炭化水素貯留層の特性を推測すると共にその性能を予測するために使用されることができる。成熟炭化水素貯留層における透過性を予測する際における主な困難は、坑井コア分析を用いる場合には特に、十分なデータがないことである。坑井コアを取得した後に、分析のために坑井コアから抽出できる情報の品質は、（例えば、保管、輸送、環境条件、及び取り扱いのため）時間の関数として低くされる。正確な浸透率データが無いと、石油物理特性の予測が不正確になる可能性があって、不必要に高い炭化水素回収コストに至る可能性がある。
【発明の概要】
【０００３】
本願は、方法及びシステムを説明しており、該方法及びシステムは、ニューラルネットワーク（ＮＮ）を用いて炭化水素貯留層の石油物理的特性を推測するためのコンピュータにより実施される方法、コンピュータプログラム製品、及びコンピュータシステムを含む。
【０００４】
ある実施においては、受けた画像データは、改善された画像データを画像処理を用いて作成するために改善されて、所望のターゲット出力に関連付けられた情報を回復すると共にアーティファクトを除去する。画像のセグメンテーションは、改善された画像データをコヒーレント領域に画像ベースの特定の基準に関して区分化することによって、セグメント化された画像データ（以下「セグメント化画像データ」と記す）を作成するために、使用可能な改善された画像データに対して実行される。使用可能なセグメント化画像データ及び補助データは、前処理済みデータとしてニューラルネットワークへの入力のために前処理される。前処理されたデータは、学習（トレーニング）、検証、及びテスト（試験）のデータサブセットに分割される。ニューラルネットワークアーキテクチャは、前処理されたデータを処理するために特定され、また特定されたニューラルネットワークアーキテクチャは、前処理されたデータを用いて実行される。特定されたニューラルネットワークの出力は、後処理されたデータとして後処理される。該後処理されたデータは、後処理されたデータが所望の出力結果を満たすか否かを特定するために、後処理されたデータに関連付けられた既知の値の範囲と比較される。
【０００５】
前に説明された実施は、コンピュータにより実施される方法；コンピュータにより実施される方法を実行するために、コンピュータにより読み出し可能な命令を格納するコンピュータにより読み出し可能で非一時的な媒体；及び、コンピュータにより読み出し可能であって非一時的な媒体に格納された命令／コンピュータにより実施される方法を実行するように構成されたハードウェアプロセッサに相互利用可能に結合されたコンピュータメモリを備えるコンピュータにより実施されるシステム；を用いて実施可能である。
【０００６】
本明細書で説明された主題は、以下の利点のうちの１又は複数を実現するように、特定の実施において実施されることができる。第１に、坑井コア全体のための間隙率は、プラグ（又は試料）が坑井コアから物理的に取り除かれてしまう前に、推測されることができる（例えば、通常６〜１２か月の節約）。第２に、坑井コア全体の流体飽和が、推測されることができる（例えば、通常、コンピュータ断層撮影（ＣＴ）スキャン後の分析に必要な６〜９か月の節約）。第３に、芯ゾーン（ｃｏｒｅｄ  ｚｏｎｅ）の浸透率が、通常のプロセスより６〜１２か月早く推測されることができる。第４に、全般には、典型的には一年が、コアログ統合プロセスにおいて節約されることができ、４５％を超えるコア処理コスト削減が実現されることができる（例えば、標的とされた試料を坑井コアから収集する必要性が減少され又は排除されるため、及び該標的とされた試料を用いてプロファイルパラメータを特定するための関連コストのため）。第５に、典型的な試料は、坑井コアから戻るために平均６か月かかることがある。コア試料の処理及びテストの実行に時間がかかるほど、テストデータの品質が低下する。低品質のテストデータを使用すると、分析が不正確になる。第６に、説明された方法論は、補助データ（実験室、現場、又は、任意の定理、物理学／工学の法則、計算、若しくは実証済み方程式／関係への適用性の明らかな欠如のため収集後に通常は破棄されるその他のデータ、といったもの）を分析するために、ＮＮを使用する。補助データは、例えば石油物理学分析又は医学において使用されたデータを含むことができる。本願に整合する他の補助データは、本願の範囲内であると見なされる。例えば、非定常状態、相対浸透率テストのためのデータは、以下の理由による増分生産を含むことができる：１）液体注入速度における変化。２）ストレスにおける変化；３）温度における変化；４）流体間の反応；５）岩石と流体との間の反応。このデータは、（例えば、ＮＮ入力のためのデータ前処理段階で）説明された方法において、ＮＮに入力されることができる。他の利点は、当業者には明らかになるであろう。
【０００７】
本明細書の主題の１つ又は複数の実施の詳細は、詳細な説明、特許請求の範囲、及び添付の図面に記載されている。主題の他の特徴、態様、及び利点は、詳細な説明、特許請求の範囲、及び添付の図面から明らかになるであろう。
【０００８】
特許又は出願ファイルは、カラーで作成された少なくとも１つの図面を含む。カラー図面を含むこの特許又は特許出願公開の写しは、要求及び必要な料金の支払いに際して、特許商標庁から提供されることになる。
【図面の簡単な説明】
【０００９】
【図１Ａ】図１Ａは、本願の実施に従う、ニューラルネットワーク（ＮＮ）を用いて炭化水素貯留層の石油物理特性を推測するための例示的な方法のフローチャートを図示する。
【図１Ｂ】図１Ｂは、本願の実施に従う、ニューラルネットワーク（ＮＮ）を用いて炭化水素貯留層の石油物理特性を推測するための例示的な方法のフローチャートを図示する。
【図１Ｃ】図１Ｃは、本願の実施に従う、ニューラルネットワーク（ＮＮ）を用いて炭化水素貯留層の石油物理特性を推測するための例示的な方法のフローチャートを図示する。
【図１Ｄ】図１Ｄは、本願の実施に従う、ニューラルネットワーク（ＮＮ）を用いて炭化水素貯留層の石油物理特性を推測するための例示的な方法のフローチャートを図示する。
【００１０】
【図２】図２は、本願の実施に従う、ＮＮの基本構造を表すブロック図である。
【００１１】
【図３Ａ】図３Ａは、本願の実施に従う、（選択されたＮＮのための入力データ）画像の改善（エンハンスメント）及び画像の分離（セグリゲイション）に続く使用可能なデータを提示する表を示す。
【図３Ｂ】図３Ｂは、本願の実施に従う、（選択されたＮＮのための入力データ）画像の改善及び画像の分離に続く使用可能なデータを提示する表を示す。
【図３Ｃ】図３Ｃは、本願の実施に従う、（選択されたＮＮのための入力データ）画像の改善及び画像の分離に続く使用可能なデータを提示する表を示す。
【００１２】
【図４Ａ】図４Ａは、本願の実施に従う、処理された画像毎の間隙率の既知の値（選択されたＮＮの目標（ターゲット）データ）を提示する表を示す。
【図４Ｂ】図４Ｂは、本願の実施に従う、処理された画像毎の間隙率の既知の値（選択されたＮＮの目標データ）を提示する表を示す。
【図４Ｃ】図４Ｃは、本願の実施に従う、処理された画像毎の間隙率の既知の値（選択されたＮＮの目標データ）を提示する表を示す。
【００１３】
【図５Ａ】図５Ａは、本願の実施に従う、選択されたＮＮを学習させる及びテストするという第１の反復結果、しかし収束が失敗したことを示すプロットである場合を表す。
【図５Ｂ】図５Ｂは、本願の実施に従う、選択されたＮＮを学習させる及びテストするという第１の反復結果、しかし収束が失敗したことを示すプロットである場合を表す。
【００１４】
【図６Ａ】図６Ａは、本願の実施に従う、選択されたＮＮを学習させる及びテストするという第２の反復結果、収束が満足である場合のプロットである。
【図６Ｂ】図６Ｂは、本願の実施に従う、選択されたＮＮを学習させる及びテストするという第２の反復結果、収束が満足である場合のプロットである。
【００１５】
【図７】図７は、本願の実施に従う、本願において説明されるようにアルゴリズム、方法、機能、プロセス、フロー、及び手順に関連付けられた計算的機能を提供するために使用された例示的なコンピュータシステムのブロック図である。
【００１６】
様々な図面における同様の参照番号及び名称は、同様の要素を示す。
【発明を実施するための形態】
【００１７】
以下の詳細な説明は、ニューラルネットワーク（ＮＮ）を用いる炭化水素貯留層の石油物理的特性の推測を記述し、また開示された主題を特定の実施の１又は複数の文脈において当業者が作成し及び使用することを可能にするために提示される。開示された実施の様々な修正、変更、及び置換が為されることができ、またこれらは当業者に容易に明らかになり、定義された一般的な原理は、本願の範囲から逸脱することなく、他の実施及び用途に適用されることができる。いくつかの例では、説明された主題の理解を取得するために不要な詳細は、１又は複数の説明された実施を不要な詳細を用いて曖昧にしないように省略されることができ、だけれども、そのような詳細は、当業者の技能の範囲内である。説明された又は図示された実施に本願が限定されることを意図するものではなく、説明された原理及び特徴に整合する最も広い範囲を本願に許容することを意図している。
【００１８】
炭化水素回収事業者への摘出された物理的坑井コアの最も重要な価値は、炭化水素貯留層の石油物理的特性の推定を提供することである。推定された石油物理学的特性は、存在する炭化水素の量、炭化水素の流れ易さ、従前の方式で抽出される炭化水素の量、従前の抽出手段を使用した後に残留する炭化水素の量、及び残りの炭化水素が存在する場所を推定するために使用されることができる。
【００１９】
炭化水素貯留層の基本的な石油物理的特性は、透過性、多孔性、飽和、湿潤性、及び残留炭化水素飽和を含む。これらの石油物理的特性は、物理的な坑井コアから推測されることができ、例えば方向、場所、応力条件、及び流体タイプの関数として非線形に変化する。坑井間における層序学的な浸透率分布を知ることは、炭化水素貯留層の性能を予測するための鍵である。様々な坑井から収集された石油物理的特性は、生産現場全体に拡張されることができ、特定の炭化水素貯留層の特性を推測すると共に該炭化水素貯留層の性能を予測するために使用されることができる。
【００２０】
透過性、例えば成熟した貯留層における透過性を予測することにおける主な困難は、特に坑井コア分析を使用するときの十分なデータの欠如である。坑井コアを取得した後に、坑井コアから抽出できる情報の品質は、（例えば、格納、輸送、環境条件、及び取り扱いに起因して）時間の関数として低下させられる。正確な浸透率データがないと、石油物理特性の予測が不正確になり得ることがあり、炭化水素の不必要に高い回収コストになり得る。
【００２１】
必要なものは、以下のために坑井コア画像を使用する能力である：
・（例えば、水平の、垂直の、及び方向的な）透過率の見積もり；
・（例えば、水平の、垂直の、及び方向的な）空隙率の見積もり；
・泥侵入の推定及び推定の泥侵入の深さ／方向；
・濾液浸潤の推定、及び濾液浸潤の深さ／方向；
・コア損傷の推定；
・流体飽和の推定；
・炭素の捕獲及び貯蔵（ＣＣＳ）及び特別なコア分析実験室（ＳＣＡＬ）テストのための水平プラグの場所を提供すること；
・飽和のための垂直プラグの場所を提供すること；
・岩石力学のためのプラグの場所を提供すること；
・流体のスポンジ飽和分析（スポンジコアの画像を使用）；
・スポンジ及びコアにおいて様々な流体の侵入を見積もること（例えば、スポンジコアの画像を使用）；
・坑井コアにおける流体浸潤の深さ及び方向を、放射状に、並びに深さ及び時間の関数として（例えば、現場におけるスポンジコアのスキャン及びラボ内におけるスポンジコアのスキャンの両方を使用して）見積もること；及び
・自然の破砕と誘発された破砕とを識別すること／区別すること。
【００２２】
人工知能（ＡＩ）技術、及び特に、ＮＮの使用は、複雑な非線形問題の解決において中心的な役割を果たす。ＮＮを活用すると、アルゴリズム手法が計算集約型である又はアルゴリズム手法が存在しない解を見出すことができる。ＮＮは、１又は複数の解を生成するために初期条件及び境界条件に依存する物理モデルの制限を克服することに役立つ。線形／非線形システムの従来の方程式は、所望の結果に到達するための反復に依存しており、ここでは、該従来の方程式は、法則、定理、又は普遍的な観測から導出され、又は法則、定理、又は普遍的な観測を模倣することを試みる。別の制限は、初期条件及び境界条件を定義するという必要に起因しており、初期条件及び境界条件では、計算を実行するために仮定が為される。ＮＮは、脳ニューロンをモデル化することに基づき、該脳ニューロンは、特定の基準としてではなくメモリセルとして一緒に機能する。ＮＮは、全体としてデータを見ており、また傾向を識別しようとすると共に、値を予測するために、見出された傾向から学習しようとする。
【００２３】
説明されているものは、炭化水素貯留層の石油物理的特性を推定するために、ＡＩ／ＮＮ計算エンジン（例えば、米国マサチューセッツ州ナティックのＭａｔｈｗｏｒｋｓ、ＩｎｃによるＭＡＴＬＡＢ、又はハードウェア、ソフトウェア、若しくはハードウェア及びソフトウェアの組み合わせとして実施されたカスタムＡＩ／ＮＮエンジン）と、様々な坑井コア及び流体の画像からのデータ（例えば、Ｘ線、コンピュータ断層撮影（ＣＴ）−スキャン（スライス又はヘリカル）、Ｘ線粉末回折（ＸＲＤ）、走査型電子顕微鏡（ＳＥＭ）、ガンマスキャン、超音波、及び磁気共鳴イメージング（ＭＲＩ））と、を用いるＡＩ／ＮＮ技術の利用である。これらの例示的な画像技術は、ガンマ線から可視スペクトルを通り電波までの電磁放射を使用しており、周波数波長は、それぞれ、１０−１２から１０３メートル（ｍ）である。
【００２４】
記載されたＡＩ／ＮＮ技術の使用は、限定されるものではないが、以下の１又は複数を提供することができる：
・坑井コアの全深さのための（例えば、水平の、垂直の、及び方向的な）透過性の推測；
・坑井コアの全深さのための（例えば、水平の、垂直の、及び方向的な）間隙率の推測；
・ログデータの単純相関；
・提供されたデータからのログ相関に基づく損傷ゾーンの場所；
・提供されたデータからのログ相関に基づく破砕ゾーンの場所；
・提供されたデータの対数相関に基づく、破砕に最も適したゾーンの場所；
・深さの関数としての貯留層のインテグリティの推定；
・方向性透過率の関数としての流体可動性の理解の向上；
・流体のタイプの関数としての流体可動性の理解の向上；
・深さの関数としての流体可動性の理解の向上；
・隔離／障壁ゾーンの理解の向上；
・様々な貯留層、障壁、ゾーンにわたる輸送の理解の向上；
・歴史上の／時代に合わないコア全体のＣＴスキャンデータの評価；
・原油の増産回収回収（ＥＯＲ）効果及びスィーフゾーン（ｔｈｉｅｆ  ｚｏｎｅ）の場所を分析することにおける支援；
・ＥＯＲ注入のための目標の場所／深度を特定することにおける支援；
・ＥＯＲの有効性を評価すること及び理解すること、問題を識別すること、及び問題の軽減における支援；
・細孔サイズ（Ｐｏｒｅ  ｓｉｚｅ）の分布；及び
・細孔径サイズ（Ｐｏｒｅ  ｔｈｒｏａｔ  ｓｉｚｅ）の分布。
【００２５】
記載されたＡＡ／ＮＮ技術の金銭的節約は、限定されないが、以下を含むことができる：１）分析のために必要とされる物理的プラグの数における削減；２）失敗したプラグ試行における削減（例えば、労働力、流体、マシンタイム、及び電気における節約）；３）将来の研究のために自然に破砕したコア全体の保存；及び、４）スポンジコア値の評価。
【００２６】
先に記述されたように、坑井コアから抽出されることができる情報の質は、時間の関数として（例えば、保存、輸送、環境条件、及び取り扱いに起因して）低減される。現在のところ、炭化水素回収産業における標準的な実務は、坑井コアを実験施設に輸送すること、並びに、物質収支テストを（例えば、Ｄｅａｎ−Ｓｔａｒｋ技術を用いて）行うと共に通気性及び間隙率の値を測定するために、坑井コアから多くの材料プラグを取り戻すことである。洗浄及び乾燥といったプラグの取り扱い及び処理は、様々な流体を並びに温度サイクル及び圧力サイクルをプラグに導入し、温度サイクル及び圧力サイクルは、プラグに不可逆的な損傷を引き起す。結果として、プラグに対して実行された任意のテストの結果は、損なわれ、全体的にわたる分析結果は歪められる。
【００２７】
坑井コアへの損傷を軽減するために、炭化水素回収作業者は、現場において全コアを安定させる（例えば、流体の損失を最小限に抑えるために坑井コアの筒（バレル）に発泡材料を注入する）ことを試み、また制御された条件において坑井コアが検査されることができるために、実験室に安定された坑井コアを迅速に（例えば、２４時間以内）輸送することを試みる。受け入れ実験室では、坑井コアが坑井コアバレルから取り戻されると共に環境条件にさらされており、環境条件では、１又は２つのプラグが坑井コアから取り出される（例えば、３フィート（ｆｔ）毎に）。
【００２８】
表１に示されるように、取られたプラグは、全坑井コア・セクションの約１〜２％を表す（＊１０キロメータ平方（ｋｍ２）の、５０ｆｔペイを持つ貯留層）：
【表１】
2020534456.tif 000002
【００２９】
説明された技術の追加的な利点は、捕獲された坑井コアのインテグリティを評価する能力である。坑井コアが破損してしまった場合（例えば、坑井からの迅速な回収は流体の膨張及び破砕を引き起こし、不適切な安定化は輸送中の損傷という結果になり、不適切な保管は乾燥及び塩の結晶化につながり、また坑井の芯抜き中に使用された泥タイプ及び循環速度が不適切であると、坑井コアが泥及び泥のろ液で過剰に侵略されると共に貯留層流体の一部又は全てが坑井コアにおいて置換されるという結果になる）。坑井コアのインテグリティが損なわれると、大きな金銭的損失及び不正確な見積もりになる可能性がある。例えば、坑井コアの人工的な破壊により、コアの間隙率及び透過率の値が実際の値よりもはるかに高くなる可能性があり、また炭化水素の埋蔵量の高い推定値になり得る。泥のろ液が過剰に侵入する場合には、坑井コアの人工的な破砕により、使用された泥のタイプ（例えば、油性系又は水性系か）に依存して、極めて高い石油埋蔵量又は非常に低い炭化水素埋蔵量の推定値という結果になる可能性がある。
【００３０】
表２は、坑井を掘削するコスト無しに、分析のための捕獲された坑井コアに関連を持っている対象（ターゲット）のコストだけからの３００万米ドルを超える推定された損失収益を例示する。この表は、分析に使用された坑井コアからの損なわれた供試体に起因する埋蔵量の誤った見積もりのコスト、解体結果と計画立案との間の時間損失のコスト、及び分析のための新しい坑井コアを掘削すると共に取り戻すコストを含まない。平均的な深さにおいて新しい坑井のために下限の値を単に追加すると、１０００万米ドルを例示的なシナリオに追加することになる。
【表２１】
2020534456.tif 000003
【表２２】
2020534456.tif 000004
表２において、ディーン・スタークは、岩石試料の選択的な浸出プロセスを指しており、ここで、溶媒蒸気（例えば、トルエン又はクロロホルム）は、試料から炭化水素及び水を除去するために使用される。試料から炭化水素及び水を除去することに引き続き、試料は、試料から塩を除去するために、溶媒蒸気（例えば、メタノール）を用いて可容物をこし取る。
【００３１】
典型的な実施では、カラー画像は、強度関数によって表されることができ、ＲＧＢは、それぞれ、赤、緑、青（又は赤−緑−青）を表す：
ＩＲＧＢ＝（ＦＲ、ＦＧ、ＦＢ）    （１）、
ここで、ｆＲ（ｘ、ｙ）は、赤チャネルにおけるピクセル（ｘ、ｙ）の強度を表し、ｆＧ（ｘ、ｙ）は、緑チャネルにおけるピクセル（ｘ、ｙ）の強度を表し、ｆＢ（ｘ、ｙ）は、青チャネルにおけるピクセル（ｘ、ｙ）の強度を表す。
【００３２】
高レベルでは、ＮＮを用いて炭化水素貯留層の石油物理的特性を推定するための全体的な方法の構成要素は、以下を含むことができる：
１．前処理及びフィルタ処理−操作であって、元の画像と同じ寸法を持つ修正された画像を、結果として、与える操作（例えば、コントラストの強調及びノイズの低減）、
２．データ削減及び特徴抽出−操作であって、画像ウィンドウから重要な成分を抽出する操作。抽出された特徴の数は、一般には、入力ウィンドウにおけるピクセル数よりも少ない、
３．セグメンテーション−操作であって、ある基準に関して画像を一貫性のある（ｃｏｈｅｒｅｎｔ）領域に区分け（区分化）する操作。一例は、異なるテクスチャの分別である。
４．対象物の検出及び認識−画像内の特定の対象物の位置、可能な場合には向き及びスケール、を特定すること、及び対象物を分類すること（例えば、方向性透過率、異常、破砕向きの特定）、
５．画像の理解−画像が表すものの高レベルな（意味論的）知識を得ること、及び
６．最適化−基準関数の最小化であって、基準関数の最小化は、グラフ・マッチング及び物体描写のために、例えば、使用されることができる。最適化技法は、画像処理チェーンにおける個別のステップとして見られるのではなく、一組の補助的な手法として見られることに着目すべきであって、補助的な手法は、説明された他のステップを裏付ける。
【００３３】
説明されたアルゴリズムによって実行された実際のタスクに加えて、特定のアルゴリズム処理能力は、特定のアルゴリズムによって受け取られた入力データの抽象化レベルによって部分的に特定される。本願に関して、多くのプロセスは、抽象化レベルを区別するために使用されることができる。例えば：
１．ピクセル強度レベル−個々のピクセルの強度、
２．局所的な特徴レベル−一組の派生したピクセルベースの特徴、
３．構造（エッジ）レベル−１又は複数の認識された特徴（例えば、エッジ、コーナー、ジョイント、サーフェス）の相対位置、
４．対象物レベル−個々のオブジェクトのプロパティ、
５．対象物セットレベル−検出された対象物の相互順序及び相対位置、
６．画像の特徴付け−画像の完全な記述、これは、場合により照明条件及びコンテキストを含む、
７．色頻度−電磁的放射の周波数スペクトルの利用、
８．色強度−構成色の強度の関数としてのプロパティの導出、及び
９．色空間特徴−様々な特徴間における確立された関係（例えば、グレイン型付け（ｇｒａｉｎ  ｔｙｐｉｎｇ）。
【００３４】
前述の高レベル方法の構成要素の適用及び入力データ抽象化レベルの特定の例として、坑井コアのＣＴスキャン画像が取り込まれることができ、また画像分析及びセグメンテーションが以下のように実行されることができる（追加の詳細のために、少なくとも図１Ａを参照する）：
１．画像の改善：
ａ．坑井コアのバレルのアーティファクトの除去、
ｂ．画像ノイズ除去、及び
ｃ．画像の鮮明化（シャープニング）；
２．画像の色ベースのセグメンテーション（例えば、ＲＧＢ分離）：
ａ．０から２５６までの様々な色の範囲に広める、
ｂ．画像をグレースケールに変換し、また属性を得る、
ｃ．画像を白及び黒に変換し、また分類のための分析を実行する；
３．画像の色ベースのセグメンテーション（色相及び彩度）：
ａ．色相に基づいて分離する、
ｂ．彩度に基づいて分離する、及び
ｃ．空間属性に基づき分離する；
４．画像ヒストグラムベースの分析：
ａ．「画像の色ベースのセグメンテーション（色相及び彩度）」のｂ及びｃにおける色分離に基づくビニング、
ｂ．広がり及び振幅のビニングに基づく分類、並びに
ｃ．石油物理的データの推定に基づき関心ゾーンの標的設定；
５．エッジ検出：
ａ．明度に基づくもの、
ｂ．彩度値に基づくもの、及び
ｃ．空間属性に基づくもの。
【００３５】
この前の議論に整合して、以下のものは、炭化水素貯留層の石油物理的特性を推測するためのＡＡ／ＮＮ技術の使用の特定の実施を説明する。当業者によって理解されるように、説明された様々な技法は、説明された主題を達成するために、別に配置された方法論の一部として、及び異なる技術的な実施において、使用されることができる。これらの変形は、それらが本願に整合する限りにおいて、本願の範囲内であると見なされる。
【００３６】
図１Ａ〜図１Ｄは、本願の実施に従う、ＮＮを用いて炭化水素貯留層の石油物理的特性を推測するための例示的な方法１００のフローチャートを示す。提示するものを明確にするために、引き続く説明は、一般的には、この説明における他の図面の文脈において方法１００を説明する。しかしながら、以下のことが理解されよう：方法１００は、例えば、任意の適切なシステム、環境、ソフトウェア、及びハードウェア、又は必要に応じて、システム、環境、ソフトウェア、及びハードウェアの組み合わせ、によって実行され得る。いくつかの実施では、方法１００の様々なステップが、並列で、組み合わせで、ループで、又は任意の順序で実行されることができる。
【００３７】
方法１００は、２つの主要なセクションに分割される：１）画像の分析、セグメンテーション及び理解、並びに２）石油物理的特性の見積もりのＮＮ予測。セクション１）から、１１６におけるユーザビリティ（有用性）基準を満たすデータのみが、石油物理特性の見積もりのＮＮ予測のために、セクション２で使用される。
【００３８】
１０２において、坑井コアからの画像データ（例えば、Ｘ線、ＣＴスキャン（スライス又はヘリカル）、Ｘ線粉末回折（ＸＲＤ）、走査型電子顕微鏡（ＳＥＭ）、ガンマスキャン、超音波、及び磁気共鳴画像法（ＭＲＩ））が生成され、処理のために使用可能にされる。画像データは、データが画像として表されることができる限り、実験室又は現場からの任意の型のデータを表すことができる。１０２から、方法１００は１０４に進む。
【００３９】
１０４において、受信した画像は、所望のターゲット出力のための画像から有用な情報を回復する（取り戻す、復旧する）ために、また画像化された時の坑井コアの特定の条件に起因して（例えば、全般的な坑井コアの物理的条件（例えば、亀裂及び欠損部分）、ケーシング（コアを取り囲む材料のタイプ）、コアの向き、コアを取り巻く材料、井戸を掘削するために使用された流体のタイプ、坑井コアが坑井から持ち上げられた機構、坑井コアが坑井から引き出される速度、どのように坑井コアが掘削リグの床におろされたか、どのように坑井コアが掘削リグの表面上に（例えば、注入された泡又は流体を用いて）安定化されたか、坑井内の坑井コアに関する圧力及び温度の差、並びに、掘削リグのサイトにおいて大気条件に達した場合、に起因して）存在するアーティファクトを画像化されるとき除去するために、画像の前処理を介して向上される。
【００４０】
典型的な実施では、画像改善は、貯留層、坑井サイト、坑井コア全体の状態、又は他の性質／パラメータに関連付けられた石油物理学的性質／パラメータに基づくことができる。画像改善プロセスが、特定の必要性に基づき、元の画像より適切な画像を取得するために、調査の下にある各受信した画像に適用される。単純な画像鮮明化及びノイズ低減から、特定のコアのために利用可能な情報に基づくより対象を絞った画像改善までにおいて、画像改善には多くの理由がある。例えば、坑井コア試料内において泥の侵入又はろ液（泥のろ液）の侵入があり得、これは、関心がある場合又は関心がない場合がある。画像の改善は、より良く複数の分析を実行することを可能にして必要な間隙率の計算に対する泥の侵入の影響をより良く理解するために、画像を準備するのに役立つ。
【００４１】
画像改善における最も一般的なステップは、以下を含む：１）強度及び空間フィルタリング（フィルタ処理）、ここで、画像は、機器によって導入されたアーティファクト（例えば、放出器（エミッタ）若しくは受信器のアーティファクト）又は環境条件（例えば、周囲のノイズ及び地下の構造）に対処するために、特定の周波数領域に対して変換される必要がある場合がある；及び、２）特に、非常に低品質の画像又は非互換性の形式で保存された画像のための画像修復。場合によっては、受信した画像の品質及び所望の結果に基づく圧縮及び形態処理といった他の画像改善技術が、必要になることがある。石油物理的特性を取得するためにフォーマット設定済み又はフォーマット未設定の画像データを利用する複数の利用可能な方法がある。以下のことが、見なされる：本願に整合する任意の画像改善方法が、商業的、オープンソース、又は独占所有物であるかどうかにかかわらず、本願の範囲内であること。
【００４２】
画像改善の例は、以下のものを含み得るが、これらに限定されない：画像化機器、使用された画像形式（ＪＰＧ／ＪＰＥＧ、ＢＭＰ、ＰＮＧ、ＤＬＩＳ、ＬＩＳ、ＬＡＳ、ＸＭＬ、又はその他のアナログ／デジタル形式）、貯留層又は坑井サイトの条件、輸送（例えば、坑井コアを保持する架台（クレードル）組立体、坑井コア上において使用される覆い、又は坑井コアの向き）、取り扱い、及び環境条件、に関連付けられた問題に起因して画像に導入されたアーティファクトを軽減するためのノイズ除去（例えば、ごま塩ノイズ、ガウシアンノイズ、スペックルノイズ、及びポアソンノイズ）のためのノイズカラースペクトル分析１０６ａ；グレースケールへの変換１０６ｂ（例えば、カラー画像におけるピクセルの色相又は彩度に対処するためのもの）；（例えば、画像内における関心のある対象物を画像の残りから区別するための（坑井コアを覆う材料又は画像化機器のパラメータへ関連付けられたもの）背景補正１０６ｃ；及び、様々な形式（フォーマット）で画像が保存されるときに導入された制限に取り組むために画像のフォーマットを設定する（書式設定）１０６ｄ（例えば、特定の解像度及びカラーパレット）こと。１０６ｄに関しては、様々な画像フォーマットが、様々な方法において画像についてフォーマット特有の情報を変え及び保存する。多くの画像化機器（例えば、ＣＴ−Ｓｃａｎ）は、複数のフォーマットにおいて画像を保存する能力を有するので、所与の坑井コア全体に関しては、同じ坑井コア・セクション／坑井コア全体の部分画像／複数フォーマットの画像が、使用されることができたり、又は画像フォーマットに依存して両者間において変換されることができた。
【００４３】
ある特定の画像は、それに対して１又は複数の画像改善技術を実行してもらうことができる。画像改善技術は、また、異なる順序で実行されることができる。実行された画像改善技術の数又は画像改善技術の順序は、画像フォーマット、サイズ、又は本願に整合する任意の他の基準／複数の基準に依存して変わり得る。
【００４４】
画像改善の特定の例として、間隙率が考慮される。この例では、１０００フィートの坑井コアのＣＴスキャン画像が坑井サイトにおいて獲得される。例示のコアは、直径において４．０インチであり、直径５．０インチのアルミニウムケースシング（バレル）に収められる。坑井コアとバレルとの間に一方向の特殊なスポンジの１．０インチ厚の層があり、この層は、坑井コアに両支持を提供すると共に、坑井コア自体から離れて貯留層流体が半径方向に移動することを軽減するのにも役立つ。バレルは切断されてセクション（例えば、３．０フィートのセクション）になり、各バレルセクションの両端は、坑井サイトにおいて密閉されて、バレルから漏れる流体又は環境からバレルに入り込む流体がないようにできる。
【００４５】
坑井コアバレルセクションは、Ｘ線実験室に出荷される。輸送及び保管中において、周囲環境は、周囲圧力条件において温度が１８℃から２０℃の間にあるように制御される。また、各バレルは、衝撃及び先端センサを装備して、その向きとの関係においてバレルの向きが適切に地球において維持されることを確実にすることができる。
【００４６】
Ｘ線実験室では、コア・セクションは、典型的には、貯留層坑井サイトからの回収から４８時間以内に画像化される。Ｘ線画像化は、坑井コアの長さの１フィート毎に、１回のＸ方向スキャン、１回のＹ方向スキャン、及び１０回のＺ方向スライスを持つＣＴスキャン操作を含む。カラー画像がスキャン毎に生成され、適切な識別のためにラベル付けされ、画像データファイル形式（例えば、ＪＰＥＧ）で保存される。例えば：
ｗｅｌｌ＿ｄｅｐｔｈ＿ｒａｗ＿ｊｐｇ（ｘ、ｙ、ｚ）＝ｉｎｓｔｒｕｍｅｎｔ＿ｓｃａｎ＿ｒｅｓｕｌｔ＿ｘ１ｙｚ    （２）、
ここで、合計１２０００（１０００−Ｘ、１０００−Ｙ、１０，０００−Ｚ）のＣＴスキャンカラー画像が生成され、各画像は、数百万のピクセルの解像度に依存し、各ピクセルは、各ピクセル毎の空間情報と共に２５６ビットからなる。各ピクセルは、それに付加された空間情報を有するので、マトリックスが、ベクトルとして扱われることができる。これらの画像は、次に、画像改善及び他のプロセスのために提供される（１０２）ことができる。坑井コアセグメントの（例えば、ＣＴスキャンの）アナログセンサ応答がデジタルデータに変換されることに注目すべきである。
【００４７】
いくつかの実施では、データベースは、例えば間隙率、透過率、及び流体飽和の以外の石油物理的特性を特定するために更に使用されることができる画像データを提供するために分析された各坑井から生成されることができる。画像は、アレイコマンドを用いてマトリックスへ読み込まれ、また試料の識別及び画像の向き付けのための識別子と一緒に順次に保存される。
【００４８】
画像改善は、また、ＣＴスキャンビーム硬化、バレルの厚さ、及びバレルの材料（例えば、アルミニウムであり、しかし、バレルは、鋼、プラスチック、又は複合材料といった他の材料であり得る）によって導入されたアーティファクトを除去するために使用されることができる。これらのアーティファクトの除去は、材料及び機器（ＣＴスキャン）ベースのプロパティのための様々な基本スキャンの利用によって支援される。アーティファクトを除去する２次画像改善は、また、アーティファクトの存在が、画像の色頻度と、機器の特定の画像データファイル形式から別の（ＪＰＥＧなど）形式への変換とに起因するものである場合、適用されることができる。
【００４９】
２つの主要な改善プロセスが、空間ドメイン及び周波数ドメインに関連した。バルク間隙率を取得するために、空間ドメインの改善は十分であることができたものであって、しかし、粒間のマクロ／ミクロ空隙率のより統合された理解を得るために、そして特に、一般的とは言えないケースでは、空間ドメインの向上と周波数ドメインの向上との両方が要求される。一般的とは言えないケースは、例えば頁岩、堅いガス砂、層を成していない砂、タールサンドを含む一般的とは言えない貯留層から取り出された坑井コアに関連している。特に、典型的な実施では、周波数ドメインの改善は、フーリエ変換を実行することを必要とする。
【００５０】
空間ドメインフィルタ処理（空間ドメインフィルタリング）が、画質を改善するために使用されることができ、ここで、元の画像Ｉ＿ｏｒｇは、関数ｆを用いてＩ＿ｓｐ１に変換される。例えば：
Ｉ＿ｓｐ１＝ｆ（Ｉ＿ｏｒｇ）                    （３）、
ここで、関数ｆは、画像においてノイズを低減するために特定の組のピクセルに作用する単に関数であることができる。他の可能な空間ドメインフィルタリング関数は、例えば、線形、算術、論理、マスク、強度レベル、カラースペクトル、対数、べき乗則、ヒストグラムベース、微分、及びラプラシアンを含むことができた。
【００５１】
画像の輝度は、また、特定の必要な輝度範囲内に画像を配するために（より明るく又はあまり明るくなく、のいずれか）向上されることができる。画像の輝度の向上は、自然な破損及び誘発された破損の分析においてマトリックスの間隙率から破砕の間隙率間を区別するのに役立つ。
【００５２】
画像は、また、際立った特徴を引き出すために、鮮明さのために改善される（向上される）ことができる。例えば、より鮮明な画像は、破砕が自然であるか、又は誘発されているかの特定を手助けする。
【００５３】
深さの関数としてのいくつかの画像を組み合わせる画像改善（画像向上）は、坑井コア試料の特定の特徴を除く（例えば、特定の範囲の空隙率を除く）ために使用されて、特定の間隙タイプに依存する石油物理特性のＮＮ分析に役立つ。
【００５４】
ヒストグラムは、例えば、ピクセル値、色値、及び彩度又は空間値の閾値の基礎を提供するために使用されることができる強力な画像改善ツールを提供しており、閾値の基礎は、ユニバーサルフィルタとしてすべての画像に適用されることができる。ヒストグラム値の範囲を変更することによって、複数のユニバーサルフィルタが生成されることができて、受信した画像に適用されることができる。
【００５５】
当業者によって理解されるように、説明された画像改善技術を提供し、例えば、説明された技術の理解において助力となるために該画像改善技術を目的とする。画像改善技法は、説明された技法だけに限定されることなく、本願に整合する任意の技法に向けられる。また、画像改善技術は、説明された方法１００の画像処理の初期段階に限定されない。典型的な実施では、画像改善は、（例えば、ＮＮ使用のためのデータを生成するための画像セグメンテーション（画像分割）中に、及び、関心のある石油物理学的特性を予測するためのＮＮ出力の操作において）方法１００の他の部分において適宜に使用されることができる。画像改善の結果は、典型的には、２又はより多くの画像を含み、該画像は、求められたデータ及び該データを視覚化するために利用可能な最善の画像形式に依存して、１０２からの元画像の形式（例えば、ＪＰＥＧ）及び他の形式（例えば、ＢＭＰ及びＰＮＧ）を含む。１０４から、方法１００は１０８に進む。
【００５６】
１０８において、説明された方法論に１又は複数の改善された画像（以下「改善画像」とも記す）が使用可能であるか否かの決定が行われる。改善画像の有用性を特定する理由は、例えば、以下を含むことができる：画像化された坑井コア試料が、坑井コア自体からではなく、しかし、いくつかの他の材料（例えば、泥又は流体）であること；坑井コアのスキャンから生成された画像が、画像化機器によって導入されたアーティファクトに起因して歪んでいる（坑井コアの再画像化が必要であることを意味する）こと；画像改善技術が、必要な向上の能力を持たず、異なる又は新しい技術が開発されることを必要とすること。
【００５７】
典型的な実施では、１０４からの各画像の有用性は、ユーザビリティ基準又は一組のユーザビリティ基準に関して評価される。ユーザビリティ基準は、例えば、以下のピクセル密度基準を含むことができる：例えば、スペクトル周波数の所与の組のピクセル密度；あるカラースペクトルの、別のカラースペクトルへのピクセル密度の比率；色及びピクセル密度のエリア形状；あるカラースペクトルと別のカラースペクトルとの間の境界距離；及び、所与の色密度ピクセルの位置。ユーザビリティ基準は、例えば、コアのタイプ、ケーシングのタイプ、坑井の深さ、貯留層の条件、貯留層のタイプ、及びコアの取り扱い／輸送プロセスの知識に基づく。
【００５８】
改善画像が使用可能であると特定された場合、方法１００は１１２に進む。しかしながら、改善画像が使用可能でないと特定された場合、改善画像を使用可能にするために更に改善されることができるかに関して、引き続く特定が為される。改善画像を更に改善（向上）できる（１１０ａ）と判断された場合、向上された画像は、更なる画像改善のために１０４に戻される。改善画像を使用可能にするために更に向上できないと特定された場合、該画像は破棄される（１１０ｂ）。廃棄される場合、１１０ｂの後に、方法１００は、典型的には、少なくとも特定の改善された画像に関して停止し、しかし任意の残りの使用可能な画像を進める。いくつかの実施では、方法１００は、特定の改善された画像が修復される又は破棄される、のいずれかであるという通知を生成できる。いくつかの実施では、廃棄された画像に関するデータは、もし望まれるならば、廃棄された画像に関連付けられた任意のデータの使用又は廃棄された画像の更なる処理を可能にするために保持されることができる。例えば、破棄されたデータは、あるタイプの石油物理学特性（例えば、間隙率）には使用可能でない場合があり、しかし別の石油物理学特性（例えば、濡れ性）に使用可能である場合がある。
【００５９】
１１２で、改善画像に対して画像セグメンテーション操作を実行して、改善画像をいくつかの特定の基準又は複数の基準（例えば、ピクセル密度の範囲又は改善画像内の形状及び構造といった画像ベース基準）に関してコヒーレント領域に区分けする。画像セグメンテーションの品質は、炭化水素貯留層の推定された石油物理特性の精度に寄与する重要な要素である。場合によっては、画像の到達１１２は、１１４ａ−１１４ｆの一部又は全ての操作を画像に対して適用してもらうことができ、１つの画像が１１６に移動するという結果のみになる。他の場合では、１１４ａ−１１４ｆの一部又は全ての操作は、画像に適用されることができ、１より多くの画像が１１６に移動するという結果になる。
【００６０】
特定の使用可能な画像は、それに対して１又は複数の画像セグメンテーション技術／組み合わせを実行してもらうことができる。画像セグメンテーション技術は、また、異なる順序で実行されることができる。実行された画像セグメンテーション技術の数又は画像セグメンテーション技術の順序は、使用可能な画像形式（画像フォーマット）、サイズ、又は本願に整合する他の任意の基準／複数の基準に依存して変化する可能性がある。例えば、１０８において使用可能な画像の特定に依存して、画像セグメンテーション技術の適用の第１順序は、１１４ａであり、続いて１１４ｄであり、次に１１４ｃ及び１１６であり得る。別の例では、画像セグメンテーション技術の適用の第２順序は、１１４ａであり、続いて１１４ｅであり、次いで１１４ｂであり得る。
【００６１】
いくつかの実施では、画像セグメンテーション技法／組み合わせの適用の順序は、図１Ｄに関して説明されるように、１６４ａ、１６４ｂ、又は１６４ｃ（又は１６４ａ、１６４ｂ、及び１６４ｃの任意の組み合わせ）における必要な最終結果と１０８からの出力とに依存している。例えば、様々なタイプのデータセットが、１６４ａ、１６４ｂ、又は１６４ｃにおける必要な結果に基づき、方法１００によって最終的に生成される（１６４ａの場合、１１２の出力は別の画像になることができた；１６４ｂの場合、１１２の出力は画像とアルファベット分類との組み合わせであることができた；及び、１６４ｃの場合、１１２の出力は、一連の数値定数及び算術／幾何学的関係と共にアルファベット分類の組み合わせであることができた）。方法１００から推定された任意の石油物理的特性は、要求された結果であると見なされることができる。該必要な結果は、更に、最終結果と見なされることができ、又は、画像の別セットと組み合わされて１０４においてＮＮへの入力として使用されることができる。いくつかの実施では、必要な結果の例は、限定されるものではないが、岩石マトリクス及び流体の密度変化、岩石マトリクスの形状における変化、細孔又は細孔内の流体、他の流体に関する試料中の特定の流体の位置における変化、細孔の形状における変化、及び流体によって占められる細孔の面積における変化を含むことができる。
【００６２】
以下の点に留意されたい：１６２から所望の結果が受信されたら、その所望の結果は、スタンドアロン値であると見なされることができ、或いは別の値と組み合わされることができて、更なる結果を取得するために、画像／データの第２組を持つ入力として１０４において使用される。例えば、様々な段階及び変更（テスト）に基づく所与の標本のための複数の組の画像があることができ、該標本は、該様々な段階及び改質に曝されてきた。この場合に、方法１００の第１実行の１６２からの結果は、方法１００の第２実行のために１０４において他の画像と一緒に入力として使用されることができる。
【００６３】
図示されるように、例示的な画像セグメンテーション操作は、限定されないが、以下のものを含む：画像クロッピング１１４ａ（例えば、使用可能な及び背景の画像において、画像の様々な別々の部分に画像を切断するために使用される）；関心のある領域１１４ｂ（例えば、ピクセル密度の範囲といった基準に基づき、画像の様々な部分を隔離するために使用される）；エッジ検出１１４ｃ（例えば、画像内の特徴間の境界を把握するために使用される）；閾値処理（閾値化）１１４ｄ（例えば、カラースペクトルを用いて様々な周波数を分離するために使用される）；ヒストグラム・ビニング（以下「ヒストグラムビニング」と記す）１１４ｅ（例えば、画像内における様々なアイテム／エリアをその発生と発生の場所とに基づき分類するために使用される）；及び、形態学１１４ｆ（例えば、特定の構造的特徴に関して画像内の形式及び構造を研究するために使用される）。他の画像セグメンテーション技法は、例えば、固有ベクトル、キーポイント検出、スケール空間、特徴マッチング、変位推定、又は本願に整合する任意の他の画像セグメンテーション技法を含む。
【００６４】
例示的なカラーベース画像セグメンテーション方程式は：
Ｉ（ＲＧＢ）＝（ＦＲ、ＦＧ、ＦＢ）；
Ｙ＝αＦｒ＋βＦｇ＋γＦｂ                    （４）、
を含むことができ、ここで、例示の方程式（算術／幾何学的関係）は、１１６又は１６４からの出力に基づき証明されることができた。この例では、カラーイメージ（Ｉ）は、赤、緑、青のベンチマークカラースペクトルのために評価されてきた。定数αは、該画像における赤色のベース値を表し、定数βは、該画像における緑色のベース値を表し、定数γは、該画像における青色のベース値を表す。式（４）では、定数α、β、及びγは、無次元の量と見なされる。定数α、β、及びγは、１１２における操作によって画像から導出され、また結果は、１１６／１６４における各定数の可能な範囲に対して検査される。１１６／１６４からの結果は、定数α、β、及びγのための一組の数値を提供する。定数α、β、及びγの値が確立されてしまうと、式（４）は、経験式と見なされることができると共に、ＮＮを用いる必要なく、類似のコア／坑井データからの他の画像のために使用されることができ、つまり式（４）は、１０２において画像を選別検査するために使用されることができる。石油物理的特徴が画像の色から直接に推定されることができる場合、そのときは、経験式（４）は、特定の石油物理的特徴を導出するために、画像の色に適用されることができた。ゴールは、以下のことである：複数のＮＮデータ処理（例えば、数百又は数千）を実行した後に、所与の組の画像基準に関して所与の石油物理的特性を予測する経験式を生成できる。例えば、定数α、β、及びγは、例えば、岩石マトリクスのタイプ、岩石マトリクスの物理条件、及び流体飽和に基づき式（４）を較正するために、既知の値を持つ画像を用いて計算されることができる。定数α、β、及びγは、同様の又は類似のコア（岩）を持つ石油貯留岩からの画像の他の組のために実験式（４）において使用されることができる。
【００６５】
いくつかの実施では、画像セグメンテーションは、１）エッジベースのセグメンテーション（例えば、平行エッジ検出及び順次エッジ検出を含む）及び、２）領域ベースのセグメンテーション（例えば、色相の関数としてのセグメンテーション、彩度の関数としてのセグメンテーション、空間属性の関数としてのセグメンテーション、向きの関数としてのセグメンテーション、及び隣のピクセルの属性の関数としてのセグメンテーション）を含む。さらに、領域ベースのセグメンテーションは、流域法、平均シフト法、領域拡張、領域分割、分割及び合成技術、又は本願に整合する他の領域ベースのセグメンテーション法の１又は複数を含むことができる。例えば：
・協調セグメンテーション：１）組み込み統合、及び、２）後処理統合。いくつかの実施では、１１４ａ〜１１４ｆは、様々な組み合わせで１１２によって使用される。例えば、協調セグメンテーションは、スキャンを用いた微細構造の区別又はシェーディングに関連付けられた状況において使用されることができる。組み込み統合が、領域及びエッジに基づくセグメンテーションにおけるエラーを回避するために使用される。後処理統合は、１１２が１１４ａから１１４ｆを介して到達しようとする基準である。
・類似性ベース：いくつかの実施では、１１２は、属性への類似性に関連付けられたある基準に基づき１１４ａ−ｆを使用する（例えば、セグメンテーションの基礎は、ある属性色又は属性強度への類似性である）。
・不連続性ベース：いくつかの実施では、１１２は、例えばピクセル、シェーディング、強度、又は境界に基づき不連続性を見つけるために、１１４ａ−ｆを使用する。一例は、セグメンテーションのための基礎が、画像内において強度レベルにおける急激な変化であることができた。
【００６６】
関心のある領域１１４ｂの画像セグメンテーションに関して、関心のある領域の分析が、改善された（及び潜在的には更にセグメンテーション処理された）画像において、ケーシング（バレル）、発泡体、コア材料、及び他の外座値を分離するために使用されることができる。比率分析は、関心のある領域の分離が３つの材料（及び任意の未知の外座値）を正しく表すことを確認する（以下のことに注意すること：関心のある領域１１４ｂのプロセスが、バレル、発泡体、及びコアの寸法及び物理的特性の知識を必要とする）ために実行されることを必要とする。
【００６７】
エッジ検出１１４ｃに関して、エッジ検出は、例えば、坑井コアのＣＴスキャン画像からの間隙率予測において使用されるべき改善された（及び潜在的には更にセグメンテーション処理された）画像から有用な情報を抽出するために使用されることができる。典型的なエッジ検出技術は、例えば、ソーベル、ラプラシアン、キャニー、及びハフ変換を包含する。任意の単一手法、又は２若しくはより多くのエッジ検出手法の組み合わせが、ＮＮ入力のための処理済み画像データを提供するために役立つ。
【００６８】
閾値処理１１４ｄに関して、閾値化（ヒストグラム）が、改善された（及び潜在的には更にセグメンテーション処理された）画像から必要とされた情報（例えば、特定の特徴）を抽出するために利用されることができる。例えば、間隙率に関しては、２つの主要な閾値化処理の操作が、典型的には、行われる：１）範囲に基づき間隙率を迅速な分類を提供し、及び、２）深さの関数としてコアのセクション毎に特定の処理を行う。典型的な実施では、様々な閾値ルーチンが使用され、限定されるものではないが、以下のものを含む：グレーレベルの閾値処理；ＯＴＳＵの方法（Ｏｔｓｕ  Ｎｏｂｕｙｕｋｉにちなんで名付けられると共にクラスタリングベースの画像閾値化、つまり二値画像へのグレースケール画像の削減を自動的に実行するために使用されたもの）；局所適応的な閾値処理；色／領域ベースの閾値処理；及び教師あり／教師なし（ｓｕｐｅｒｖｉｓｅｄ／ｕｎｓｕｐｅｒｖｉｓｅｄ、監視あり／監視無し）の閾値処理。
【００６９】
閾値処理は、（例えば、砂岩における）グレイン間の様々な境界とグレインの合間の様々な空間とに非常に明確なコントラストを提供することによって、全体的な分析及び予測に付加価値を与える。これは、石油物理特性の範囲の迅速な結果のために坑井コア内の固体及び流体の材料を区別するために、分類のために使用されることができる。別の使用は、固体及び流体の材料の体積情報の詳細を取得するために、データを既知の画像上のキャリブレーションデータと比較することを含む。固体及び流体の材料は、貯留層流体だけでなく侵入性流体の鉱物及び流体の飽和の定量的値を目立たせるために、更に分割されることができる、
【００７０】
ヒストグラムビニング１１４ｅに関して、ヒストグラムビニングは、制限の範囲を特定するために、改善された（及び潜在的に更にセグメンテーション処理された）画像において使用されることができて、制限の範囲における制限の各組の間において、該値は、別の意味を有するようになる。ヒストグラムの閾値処理は、画像内の様々な「関心の対象」を区別するために使用されることができる一方で、発見された「関心の対象」の各々の毎に、ヒストグラムビニングが、関心のある各対象内においてグループ、勾配、及び変化を特定するために、及び特定されたグループ、勾配、及び変化の振幅を特定するために使用されることができる。
【００７１】
形態学的な画像セグメンテーション１１４ｆに関して、形態学的画像セグメンテーションは、改善された（及び潜在的に更にセグメンテーション処理された）画像のテクスチャベースの分離において支援するために使用されることができる。間隙率の測定を支援することと一緒に、形態学的画像セグメンテーション１１４ｆは、孔径分布、細孔喉（ｐｏｒｅ  ｔｈｒｏａｔ）径及びその分布、並びにグレイン分布の特定のために使用されることができる。典型的な形態学的画像セグメンテーション法は、例えば、バイナリ拡張（ダイレーション）及び縮小（エロージョン）、集合論的解釈、カスケード拡張、並びにランクフィルタを含み得る。
【００７２】
一般には、ニューラルネットワークは、細孔喉のタイプ（サイズ）、所与のサイズの細孔喉の数、及びそれらの細孔への接続性を予測するために、ＮＭＲ、ＣＴ−ＳＣＡＮ、及び岩石学データを利用することができる。プロセスは、破壊テストを用いて現在生成されているのと同じ結果を生成するために、様々なテストからの利用可能なデータを使用することができる。加えて、ＭＩＣＰ（破壊テスト）は、０．１％未満のコア材料に対して行われる可能性があると共に、コア材料の９９．９％の残りのために全体像を提供できない可能性があって、一方、ニューラルネットワーク手法は、例えばコア全体の１００％のための「細孔喉」情報を提供し、坑井ログ及び堆積盆モデルと統合されると、全体の貯留層に更に拡張されることができる。データは、次いで、毛細管圧曲線を生成するために、本件に関連づけられた他のニューラルネットワークルーチンを介して、さらに処理される。
【００７３】
いくつかの実施では、ニューラルネットワークアルゴリズムは、岩石と流体のための化学組成だけでなく、それらの間隔、位置、配置も貯留層内の岩石−流体材料のために統合することができる。この目的のために、ＮＭＲ、ＣＴ−ＳＣＡＮ、薄切片、ＸＲＤ、流体の化学組成、お決まりの電気的特性、及び毛管圧力試験を利用すると、炭化水素の存在を予測できる。最終生成物は、入力として、坑井検層データ、流体組成、岩石学、などを取ることができ、また非水ベースの流体（炭化水素）の可能性を予測するために、該入力を学習済みニューラルネットワークに通すことができる。
【００７４】
いくつかの実施では、ニューラルネットワークは、岩石マトリックスにおける成分の極性を、これらの岩石マトリックスを持つ流体に加えて、説明することができ、組成（岩石流体）の関数として濡れ性を予測するニューラルネットワークモデルを開発する。この目的のために、いくつかの実験は、既存の濡れ性テストを次のレベルにして、岩石マトリックスの流体層を段階的に部分的に除去することによって岩石流体の化学組成の影響を理解できる。予想される結果は、濡れ性及び残留油飽和度を予測するために、岩石及び流体の組成と細孔及び細孔喉のサイズを取り込む学習済みニューラルネットワークアルゴリズムである。組成に基づくモデルの追加の利点は、坑井の開発及び生産並びに改善された流体設計の様々な段階中において貯留層に導入された様々な流体の影響を評価して、それらの悪影響を最小化することであり得る。
【００７５】
他の画像セグメンテーション技術は、以下を含むことができた：１）線形セグメンテーション（例えば、分離可能性及びシフト分析、画像エイリアシング並びに２次元（２Ｄ）畳み込みのために使用される）は、他のセグメンテーション技術を介して生成された他のデータを補完できる一組のデータを考慮して、ＮＮ予測ルーチンへ入力を提供する；２）テンプレートマッチングセグメンテーション（例えば、間隙率の見積もりに役立つために使用されるものであり、また多くの石油物理的特性がベクトルベース、つまり特性の値（透過性といったもの）が方向に基づき変化するので、坑井コアにおいて類似の構造を識別して更なる石油物理的特性の評価に役立つ均一性情報を提供する）；３）特徴及び空間のクラスタリング；４）地域ベース；５）エッジ検出アプローチ；６）空間分割及びマージ技術；７）色ベース（ＲＧＢ、色相値−彩度（ＨＶＳ）、色相−彩度−輝度（ＨＳＬ）といったもの）の手法；８）様々な組み合わせにおけるファジー及びＮＮの技術；及び、９）必要な石油物理情報の定性的、定量的、又は両方の結果を提供するために、更なる分析のための一組のデータを提供する物理ベースのセグメンテーション技術。
【００７６】
当業者によって理解されるように、説明された画像セグメンテーション技術は、例えば、説明された技術を理解することにおいて支援するために目的とされた例示のために提供される。画像セグメンテーション技術は、説明された技術だけでなく、この開示に整合する任意の技術に限定されない。１１２から、方法１００は１１６に進む。
【００７７】
１１６において、結果としての改善された画像がユーザビリティ基準を満たすかどうかについて特定が為される。１１２からの出力は、１０２及び１６４に基づき１１６に提供されたベンチマーク又は標準と比較された一組の値を所有する。以下のことに着目すべきである：１０２又は１６４では、画像からの出力の予想範囲は、既知の石油物理学的値を持つ標本の画像を用いて説明されたＮＮの学習が実行されるので、知られていること。石油物理学的値が未知である画像をＮＮに提供する一方で、学習は、結果としての値が在るべき範囲を提供する。例えば、１１４ｂ及び１１４ｃの組み合わせが２５０と６５０との間のエリア値を提供すると予想される場合、これらの制限の外のいかなるものも、１１２からの望ましくない結果と見なされる。同様に、値の予想が、１１４ｄ及び１１４ｅの組み合わせのために５〜２５の範囲である場合には、実際の値が５未満であるならば、値の予想が破棄され（１１８ｂ）、しかし、２５を超えるならば、値の予想は修正される（１１８ａ）。
【００７８】
セグメント化された画像（「セグメント化画像」と記す）がユーザビリティ基準を満たしていると特定される場合、方法１００は、ＮＮ入力１２０（図１Ｂ）のためのデータ前処理を進める。しかしながら、セグメント化画像がユーザビリティ基準を満たさないと特定される場合、セグメント化画像をユーザビリティ基準に適合させるために該セグメント化画像を更にセグメント化するかに関して、引き続く特定が為される。セグメント化画像を更にセグメント化できることを特定できた場合（１１８ａ）、セグメント化画像が、更なる画像セグメント化のために１１２に戻される。セグメント化画像をユーザビリティ基準に適合させるためにセグメント化画像を更にセグメント化できないことが特定される場合、セグメント化画像は破棄される（１１８ｂ）。廃棄の場合、１１８ｂの後に、方法１００は、少なくとも特定のセグメント化画像に関して停止する。いくつかの実施では、方法１００は、残りの使用可能な画像を進めることができる。１０８における議論と同様に、いくつかの実施では、方法１００は、特定のセグメント化画像が修正されるべき又は破棄されるべき、のいずれかであるという通知を生成できる。いくつかの実施では、廃棄された画像に関するデータは、必要であるならば、廃棄された画像の更なる処理又は廃棄された画像に関連付けられた任意のデータの使用を可能にするために保持されることができる。
【００７９】
説明された方法論は、また、補助データを分析するためにＮＮを使用できる。補助データには、実験室の、現場の、又は他のデータを含むことができ、該データは、任意の定理、物理／工学の法則、計算、又は実証済み方程式／関係（Ｄａｒｃｙ及びＡｒｃｈｉｅ方程式といったもの）への適用性の明らかな欠如に起因して、収集後に通常は破棄される。補助データは、例えば、石油物理学分析又は医薬において使用されるデータを含むことができる。本願に整合する任意の他の補助データは、この開示の範囲内であると見なされる。例えば、非定常状態のためのデータ、相対透過性試験は、次の理由による増加生産を含むことができる：１）流体注入速度における変化；２）ストレスにおける変化；３）温度における変化；４）流体間の反応；及び、５）岩と流体との間の反応。このデータは、処理のためにＮＮに入力されることができる（例えば、１２０）。
【００８０】
１１２と１２０との間において、様々なセグメンテーション技術を介して収集されたデータは、次に、所望の結果を予測するためにＮＮへの入力として使用される前に、更なる初期条件、境界条件、物理モデル、化学モデル、及び石油物理関係の組み合わせに従う。例えば、１１２−１１６からの１２０に供給された出力は、必ずしも１つの出力ではなく、複数の出力である（例えば、画像「Ｉｍａｇｅ−１」は１１２を介して行くことができた。ここで、１１４ａ及び１１４ｃは「ｓｈａｐｅ−１」データを生成することができた；１１４ｂ−１１４ｃは「ｓｉｚｅ−１」情報を提供することができた；１１４ｄ−１１４ｂはシェーディングに基づく領域の「ｔｙｐｅ−１」に関する情報を提供することができた；１１４ｅ−１１４ｄは、各シェードの「ａｍｐｌｉｔｕｄｅ−１」を各シェード内の「ｒａｎｇｅ−１」と共に提供することができた。
【００８１】
１２０では、１１６からの使用可能なデータが、ＮＮ入力のために前処理される。典型的な実施では、前処理技法は、限定されるものではないが、１又は複数の一組の算術／幾何関係（例えば、経験的関係１２２ａ、データ操作１２２ｂ、物理的関係１２２ｃ、及びデータ相関１２２ｄ）を含むことができる。例えば「Ｉｍａｇｅ−１」データに関しては、「ｓｉｚｅ−１」及び「ｔｙｐｅｓ−１」は、間隙率、グレインサイズ、又はその両方に関する経験的関係（例えば、１２２ａにおいて）と一緒に使用されることができた；「ｓｈａｐｅ−１」及び「ａｍｐｌｉｔｕｄｅ−１」は、飽和（流体）のためのデータをグループ化するために、物理的な関係（例えば、１２２ｃにおいて）又はデータ操作（例えば、１２２ｂにおいて）と一緒に使用されることができた；そして、（例えば、１２２ｄにおいて）間隙率の値を取得するために、関心ある領域ｖｓ．（対）画像の全エリアの相互関係を証明できる。ここで、１２２ａ、１２２ｂ、１２２ｃ、及び１２２ｄは、標準的な実験室の若しくは坑井サイトの石油物理学の、化学の、又は他の既知試料分析に基づき提供された相関又は方程式であることになる。
【００８２】
記載された方法論のゴールは、１００万パーセントを予測するために、坑井コア及び流体試料の１パーセント未満を使用することである。言い換えれば、貯留層の全体（１００万パーセント）に外挿するために、坑井コア試料の１００パーセントを使用する。物理法則、及び利用可能な決定論的方程式は、現場（フィールド）毎に別個である（例えば、相の挙動及び地球化学的な関係は、貯留層の特性を予測するために石油物理学関係で使用されることができなかった。一方、流体特性、地球化学、地質学、堆積学、石油物理学、及び応力は、全て、同時に貯留層に影響を与える。任意の一つにおける変化は、全ての残りに影響を与える。
【００８３】
加えて、坑井現場のデータ取得に関して実験室試験を実施する一方で、収集されたデータの追加の組があり、該追加の組は関連しており、しかし、各個別の分野に関連付けられた決定論的関係ベースの法則の制限に起因して、現在のところ、分析に使用されていない。例えば、埋蔵量評価に使用される電気特性テスト中に、時間の関数としての生産速度に関連付けられた情報がある。このデータは使用されずに、代わりに、平衡値のみが使用される。例えば、Ａｒｃｈｉｅ方程式は他のデータ点のための項を有さないので、１０００個のデータポイントのうちから、１つのデータ点のみが使用される。速度データが、透過率を予測するために使用されることができた場合、及び炭化水素の化学組成と組み合わされる場合、この追加データは、掃引効率に関する問題を緩和するのに役立つように使用されることができた。
【００８４】
経験的関係１２２ａに関して、画像処理及びセグメンテーションから収集されたデータは、次に、検討中の標本の物理的特性及び所望の必要とされる結果に基づき、様々な経験的関係に導入される。例えば、間隙率は、色帯域幅、空間座標、彩度、特定の色合いの強度、及び特定の領域のサイズ／場所の関数であることができる。いくつかの実施では、既存の石油物理的経験式が、１又は複数の経験式を（例えば、岩型と岩型の彩度との関数として）生成し／導出するために、ＮＮ分析から生成されたデータを用いて使用されることができる。同様に、透過率は、計算された間隙度の値を用いて前述の全要因の関数として記述されることができる。典型的な実施では、間隙率の値は、色帯域幅、空間座標、彩度、及び特定の色合いの強度から計算されることができる。計算された間隙率の値は、次に、透過性を予測するために、流体に関して収集された実験室データ、地質学的データ、鉱物学的データ、又はその他のデータからの貯留層流体特性と一緒に使用されることができる。
【００８５】
いくつかの実施では、データ操作１２２ｂは、最大（ｍａｘ）／最小（ｍｉｎ）の値を用いる全データの正規化の形式に、又は既知の時間／空間にわたるデータの積分若しくは時間／空間に関するデータの微分の形式にあり得る。例えば、変化率は、深さ、間隙率、及び流体飽和の関数として強度を特定するために、データの組に適用されることができる。物理的関係１２２ｃは、物理的関係の影響を示すことができる（例えば、マトリックス材料の密度が同じままである又は増加すると仮定すると、間隙率が減少し、流体飽和が減少し、機械的強度が増加する）。データ相互関係１２２ｄは、可能なデータ相関を示すために使用されることができる（例えば、色スペクトルにおける赤を、流体の飽和及び岩の脆性の減少に関連付けることができた。それで、赤色スペクトルを持つ様々な値を飽和及び岩の両方に関連付けることができる）。１２０から、方法１００は１２４に進む。
【００８６】
１２０における前述の説明に整合して、データ操作１２２ｂは、補助データとして収集された実験室データ又は現場データを利用することができ、しかし石油物理学分析のために使用されず、なぜなら、収集された補助データは、任意の定理、物理的／工学的法則、計算、計算、又は石油物理学分析で使用された実証済み方程式／関係（Ｄａｒｃｙ又はＡｒｃｈｉｅ方程式といったもの）に適用できないからである。実験室又は現場のデータの例は、次のものを含むことができる：１）坑井サイト（現場）においてコアを採取してから実験室テストまでの日数；２）失敗した（成功していない）テストからのデータ；３）特定のテストのためにテスト試料を洗浄し及び準備するために必要な時間；４）テストを実行するために使用された機器類のタイプ；５）機器のための校正情報データ；６）機器、ツール、及びデータ収集法のパラメータを制限すること；及び、７）試料がテストの前後に経験した様々な物理的、温度、圧力、及び環境の条件に関するデータ。
【００８７】
いくつかの実施では、説明されたＮＮは、オフライン、オンライン、又はその両方の組み合わせであると見なされるデータを用いて働くように構成されることができる。オフラインデータは、図１Ａ−図１Ｄに図示されるように、処理のために後の時点でＮＮに供給されたデータ／画像であって以前に生成され及び収集されたものを含むことができる。オンラインデータは、図１Ａ−図１Ｄに図示されるように、処理のために連続ベースでＮＮに供給されたデータ／画像（実験室又は現場の環境において機器類によってリアルタイム又は実質的にリアルタイムで連続的に生成されたデータ／画像）を含むことができる。
【００８８】
１２４において、ＮＮ入力のための結果としての前処理されたデータがユーザビリティ基準を満たすかどうかの特定が為される。例えば、１２０においては、１６４ａ、１６４ｂ、又は１６４ｃにおける望ましい目的は、画像から１つの特徴のみを計算することである（例えば「Ｉｍａｇｅ−１」の間隙率）。１１６から、データは、グレーの異なる３つのシェード（濃淡、色調）、異なる５つの形状カテゴリ、関心のある異なる１００個の領域、及びこれらの関心のある領域に関連付けられた２０個のエリアのサイズに関する「Ｉｍａｇｅ−１」のために受信される。経験的関係（１２２ａ）は、５つの形状カテゴリを持つ１つのグレーのシェード（濃淡、色調）に基いて、３組の間隙率データを計算するために適用される；物理的関係（１２２ｃ）は、形状及びサイズの物理属性に対して、間隙率の値を計算するために適用されることができる；関心ある領域ｖｓ．（対）画像の総面積の相互関連付けるは、相互に関連付けられることができて（１２２ｄ）、間隙率の値を得る；及び、３つの色シェード（濃淡、色調）を持つ１２２ａ及び１２２ｃの操作は、一組の間隙率を生成するために実行されることができる。１２４において処理されることは、データセットの有用性を特定することである。データセットのユーザビリティは、１２４の結果が特定の目標出力パラメータの制限／範囲に適合するかによって特定されることができる。
【００８９】
前処理されたデータ（データセット）がユーザビリティ基準を満たすと特定される場合、方法１００は、データサブセットに進む；１２８において学習し、検証し、及びテストする。しかしながら、前処理されたデータがユーザビリティ基準を満たしていないと特定される場合、前処理されたデータは破棄され、また方法１００は１０４において画像改善に戻り、１０４では、１０６ａ又は１０６ｄの一方又は両方のための条件／基準が変更されることができる。ここで、方法１００は、別の画像から始まる。いくつかの実施では、方法１００は、望まれるならば、破棄された画像に関連付けられた任意のデータの使用又は破棄された画像の更なる処理を可能にするために、ＮＮ入力のために前処理された破棄された画像の経過を追うことができる。
【００９０】
先の例を続けて、１２２ａ〜１２２ｄから生成された間隙率の値は、「1ｍａｇｅ−１」全体のためのベンチマーク値と比較されることができる。該値が特定の範囲内にある場合、そのときは、方法１００は１２８に進む（データをＮＮエンジンに移動する）。該値が該特定の範囲内にない場合、そのときは、データは１２６において破棄されて、またプロセスは１０４に戻り、もう一度やり直す（画像改善）。例えば、「Ｉｍａｇｅ−１」のベンチマーク値は、間隙率の１〜５％がナノ間隙率であり、６０〜７０％がマイクロ間隙率であり、２５〜４０％がマクロ間隙率であることがあり得る。これらの条件が満たされる場合、そのときは、データは使用可能である。満たさない場合、そのときには、現在の画像は破棄されて、また新しい画像でもう一度やり直す。
【００９１】
１２８において、ＮＮエンジンは、学習、検証、及びテストのために、特定された使用可能なデータを１２４から受信する。受信したデータは、３つのサブセット（つまり、学習、検証、及びテストのデータのためのサブセット）に分割される。間隙率が、１６４において最終生成物のための例として取られる場合、１０２において１００の画像があって１２８において画像毎に２０個の特有のデータセットが生成された場合、１００個の画像からのデータは、３つのサブセットに分割されることになる：１）学習用の１５枚の画像からのデータ（１５％）；２）検証用の１０枚の画像のデータ（１０％）；３）ＮＮの精度をテストするための７５枚の画像（７５％）からのデータの残り。パーセンテージの分割は、説明された画像セグメンテーションの結果から導出されたデータセットの数及び型に基づき特定される（例えば、１２４から受信済みの特定された使用可能なデータ）。典型的な実施では、データサイズが小さいほど、学習及び検証のためのデータセットがより大きくなることを必要とする（その逆も同様）。画像のための２０枚の特有のデータセット内のデータセットの１つが空隙率の既知の値を有する場合であって、学習、検証、及びテストが、該空隙率に対して一組のアルゴリズム／関係を生成するために１２８によって実行される場合に、そのときには、生成されたアルゴリズム／アルゴリズムが、１３０に移動して、１３２（バッチ処理）のいずれかにおいて使用され、１３２では、未知の間隙率の一組のコア画像からのデータセットが間隙率を予測するために提供され、また１３０からのアルゴリズム／関係は、１３４に移動し、１３４では、処理された画像の連続ストリームが（例えば、コアをスキャンすると共に画像を生成する機器から）供給され、また間隙率が予測される。以下に着目する：未知の間隙率を持ち１３２又は１３４に送られる画像データは、データが同じフォーマット及びサブセットであるために、前述の１０２から１２４のステップを介して行ってしまうことになり、間隙率を予測するために１３０においてアルゴリズムによって利用されることができる。画像／データが連続的ソースから取得される場合（テストを実行する機器から入力をＮＮが受信する場合といったもの）、そのとき、それは連続的な入力であって、一方で、画像／データが以前に収集されたデータセットから取得される場合、それは離散入力であると考えられる。１３２又は１３４から、方法１００は、１３６（図１Ｃ）に進む。
【００９２】
１３６において、どんなＮＮアーキテクチャが１３２／１３４からのデータを処理する際の使用のために望まれるかに関する特定が為される。ＮＮを訓練するために利用可能な出力データの十分な組がある場合、方法１００は１３８（教師ありモード）に進む。しかしながら、ＮＮを学習させるために利用可能な学習データがない（又は十分でない）場合、方法１００は、１４０（教師無しモード）に進む。例えば、実験室又は現場において収集された一組のデータは、教師ありモードにおいて使用されることができたが、一方で連続データは、教師無しモードにおける分類のために使用されることができた。
【００９３】
記載された処理に関して、ＮＮは、少なくとも以下の理由のために、理想的な型の数学的処理のスキームである。
１．処理用の非常に大きなデータセット。
２．坑井コア及び貯留層に関連するデータが数十年にわたって収集されてきており、またモデルｖｓ．（対）現実からの優れた履歴マッチング機会を提供することができる。
３．データの高価ではない供給及び高速なコンピューティングエンジン／／継続的に改善する統計的なアプローチ。坑井コアがスキャンされてまた画像が様々な民間及び政府の機関において利用可能になった何百万もの掘削された坑井コアがあったので、利用可能な供給は広範囲である。１０２から１２８までの説明されたアルゴリズムは、ハイエンドの既製コンピュータ上で容易に実行されることができ、スーパーコンピューティング及び専用コンピュータのハードウェア／ソフトウェアを必要としない。
４．利用可能な物理モデルは、利用可能なすべてのデータを活用する能力を持たず、また入力の非常に限られた組に制限される（例えば、透過率の式は、通常、制御された環境及び流速／デルタ圧力の関数において１．５インチの坑井コア試験片に対するテストに制限される）。コアの透過率を計算するために使用されたＤａｒｃｙ方程式は、既知の直径及び長さのコア試料を通過する流体の流量に基づいており、ここでコアの入口及び出口における圧力が測定される、制限は、透過率を取得するテストを実行するために使用される円筒サンプルが、画像化されまた利用可能な全てのコア材料の０．１％未満、及び２つの変数のみを表すということであり、一方、この開示において説明されたものとしての画像分析は、収集された坑井コア全体（例えば、３００−３０００フィート）を活用する。
５．物理モデルは、実験室データから現場データまで規模を大きくしようとする場合（例えば、直径１．５インチのコアに関するデータを実際の貯留層の１００万立方フィートに完全化しようとする場合）に、完全化の多く問題を有する。
【００９４】
ＮＮアーキテクチャは、最初に、教師あり１３８ＮＮ又は教師無し１４０ＮＮのいずれかに分けられることができる。教師あり１３８ＮＮの場合、タイプは、ＮＮのリカレント１４２（例えば、Ｈｏｐｆｉｅｌｄ構成）型又はフィードフォワード１４４（例えば、線形、非線形、逆伝搬、ＭＬパーセプション、及びボルツマン）型のいずれかに分けられる。教師なし１４０ＮＮの場合、タイプ（型）は、推定器１４６（例えば、自己組織化特徴マップ（ＳＯＦＭ）又は自己組織化マップ（ＳＯＭ））又は抽出器１４８（例えば、適応共鳴理論（ＡＲＴ））タイプＮＮに分けられることができる。
【００９５】
タイプに関係なく、ＮＮは、典型的なコンピュータ処理におけるように、シリアルではなくパラレルで情報を再現し及び処理するように設計される。比較として、石油物理分析作業を実行するための逐次処理作業は、最大２〜３のプロパティを管理でき、該プロパティは、制限された物理モデルを用いて実質無制限の情報量を下手に処理する。パラレル処理ＮＮでは、ＮＮモデルは事前定義されていないので、ＮＮの作業は、所与のデータセットから「学習」する共に、該データセットを与えられたものとして非常に複雑な振る舞いを予測するために、非常に単純な原則上において働く。
【００９６】
図２に戻ると、図２は、本願の実施に従う、ＮＮ２００の基本構造を表すブロック図である。図示されたＮＮ２００の基本構造は、３つの層を含む。第１層、入力層２０２では、データは入力層２０２に提示され、ＮＮによる使用のために特定の形式に正規化され、及び隠れ層２０４に渡される。隠れ層２０４は、ＮＮの内部動作であって、「ブラックボックス」として効果的に機能するものであり、該ＮＮが、一旦、既知の入力値及び予想の出力値のセットを用いて学習させられると、ＮＮの内部にある関係及びアルゴリズムを生成する。隠れ層２０４の結果は、出力層２０６に渡される。出力層２０６は、出力データの組２０８を生成する。ＮＮ２００が並列プロセスであるので、全ての使用可能な入力が隠れ層２０４に同時に渡されることができる。入力層２０２からの入力は、所与の組の入力のために最も一致する出力２０８を取得するために変更される重みを用いて隠れ層２０４に提示される。
【００９７】
図１Ｃに戻ると、フィードフォワードＮＮ（例えば、図１Ｃの１４４）では、情報フローは一方向のみである（つまり、データは、入力層を介して隠れ層に供給されて、結果は出力層に現れる）。データは、入力層において活性化の形式でＮＮに提示される。前述のように、データは、所与の組の石油物理学評価のために前処理される。同様に、ＮＮからの出力は、方法１００の最終結果を取得するために処理される。
【００９８】
１５０において、１３２又は１３４からの出力と同じフォーマットのデータセットが、１３６から、どんな型のＮＮがユーザを選択してもらう（１３８−（１４２若しくは１４４）又は１４０−（１４６若しくは１４８））という選択（初期パラメータ  −  教師有り／教師無し及び型）と一緒に受信される。１５０から、方法１００は１５２に進む。
【００９９】
１５２において、選択されたＮＮは、データセットを用いて／データセットに対して実行される。１５２から、方法１００は１５４に進む。
【０１００】
１５４において、ＮＮからの出力が生成される。出力が最終生成物である場合、例えば間隙率が唯一の望ましい結果である場合には、そのとき、１５４からの出力は、「Ｉｍａｇｅ−＃」、「Ｐｏｒｏｓｉｔｙ  Ｖａｌｕｅ」のフォーマットを持つことができる。１５４から、方法１００は、１５６（図１Ｄ）に進む。
【０１０１】
１５６において、１５４からの特定の画像に関する出力は、全ての使用可能な画像のための全出力が完了するまで、ステージング領域に保持される。１５６から、方法１００は１５８に進む。
【０１０２】
１５８において、全ての使用可能な画像のためのＮＮ出力が後処理される。例えば、各画像毎の深度（フィート）を割り当てる。間隙率については、方法１００は１５８で終了しており、なぜならこの時点で、更なる石油物理データが必要ないからである。例えば、坑井コア全体が受け取られて、タスクは、貯留層の岩石を非貯留層の岩石から区別することであるとき、間隙率は、決定要素になるであろう。１６４ａ、１６４ｂ、及び１６４ｃにおいて望ましい結果として出力されるべき他の石油物理的特性（例えば、浸透度）に関しては、方法１００は、１５８、１６０、及び１６２に進む。
【０１０３】
１６０においては、前の処理からのデータが更に処理される（正規化される、又は比較される、といったもの）ことができる。既存の方程式／関係が、他の石油物理的特性を導出するために使用されることができる（例えば、間隙率及び飽和度の値を、貯留層のマクロ／マイクロ埋蔵量の見積もりを導出するために使用できた）。加えて、新しい関係（データ関係）は、（例えば、ＮＮから生成されたデータを姉妹坑井からの既存のデータと組み合わせることによって）導出されることができる。ここで、教師有り及び教師無しのＮＮ（１４０、１４２、１４４、１４８）下における全てのプロセスは、一組のデータから望まれた様々な出力を達成するために使用されることができる確立されたＮＮアルゴリズムであり、又はこれらのアルゴリズムを適用すると、１３６に先だってＮＮによって作成されたデータを見るという新しい見方を生成できる。例えば、データ入力の特定の組に基づき特定のパラメータに関して、別のＮＮ分析からのデータの異なる組が、より良い結果を得るために、入力として使用されることができる。特定の例として、地層の岩石を介する貯留層流体の流れ解析を実行するとき、入力データは、圧力降下及び飽和を含む。第１ＮＮは、このデータを岩石のＣＴスキャン画像と一緒に取り込むことができ、流れモデル１を生成できる。第２ＮＮは、圧力降下の関数として貯留層に関連付けられた応力（ストレス）及び歪み（ストレイン）のモデル２を生成できる。これらの２つのＮＮ出力（つまり、モデル１及びモデル２）が、組み合わされることができ、また流れを予測するために、圧力降下の影響及び応力における変化を組み合わせる第３ＮＮへの入力として使用されることができる。同様に、同じ論理が、ＮＮを用いて追加のモデルを生成するために、次いで、異なる応答のための追加のモデルを組み合わせるために、関心のある他のパラメータに拡張されることができる。この方法論の特定の値／使用の１つは、石油業界におけるレガシーのデータセットを利用する能力であって、ここで該データセットの各々が特定の制限を持ち、また利用可能なデータの改善された画像の全表示を提供することの能力である。例えば、炭化水素回収現場の寿命にわたって収集された間隙率データセットが存在しており、しかし、方法は、様々な手法及び条件を用いて時間にわたって変動したデータセットを収集するために使用される。この変動は、データセットを収集するために異なる手法及び条件に特有な様々な次元のデータセットに帰着した。説明されているＮＮ方法論を用いて、レガシーデータセットは、様々な手法、条件、及び変化と一緒に入力されることができ、改善された／望ましい結果としての値を予測するために使用されることができる。１６０から、方法１００は１６２に進む。
【０１０４】
１６２において、達成された結果が所望の結果を満たす場合、方法１００が、継続する必要はなく、しかし、該結果が、別のＮＮ（例えば、１５０における入力）に供給されるべき他のデータと組み合わされるべきであるならば、そのときは、１６４ａ、１６４ｂ又は１６４ｃは、１６２からの結果が入力として扱われるＮＮの全セットであることができた。例えば、１６２からの出力が間隙率、透過率、及び（マイクロ−マクロといった）間隙率の変化である場合、データは、画像を持つがＣＯ２テスト結果を持たないコアの領域にわたってのＣＯ２流の圧力降下を予測するようにＮＮを学習させるために、ＣＯ２溢れのための実験的な圧力低下と一緒に、別のＮＮに供給されることができた。達成された結果が望ましい結果であるか否かは、典型的には、プロセスのユーザによって特定される（つまり、１６２において生成されたデータが、予想されるものであるか、また連続する処理の段階のために使用されることができるかどうか）。これらの状況では、例えば、データがプロットされることができ、データが使用可能な出力制限の範囲内にあるかどうかの特定が為されることができる。人間のユーザがこの特定を行う場合、ユーザは、典型的には、情報に通じた特定を為すために、検討中の石油物理データと調査中の坑井／現場において精通していなければならない。他の実施では、自動化されたプロセス（例えば、ソフトウェア比較エンジン、ＮＮ、又は他のプロセス）が、以下の特定を為すために使用されることができる：１６２において生成されたデータが予想されると共に後続の処理段階に使用可能か否か。いくつかの実施では、自動化されたプロセスは、人間のユーザへの推奨を、該人間のユーザが最終的な特定を為す間に、提供することができる。
【０１０５】
１６２において、出力データは、出力データに関連付けられた既知の／特定された範囲と比較される。いくつかの実施では、方法１００は、結果データが満足のいくものでない場合、処理の初期段階への復帰の継続的レベルを実行することができる。例えば、出力データの必要な設定パーセンテージ精度（例えば、８０％）未満が範囲内にないと判定された場合、データは１５８に返される。方法１００は、もし、設定された数（例えば、３回）の繰り返しの後に、１５８と１６２との間の処理が、要求された設定パーセント値の精度を達成しない場合、１６２から１３６に戻される。方法１００は、もし、設定された数（例えば、３回）の繰り返しの後に、１３６と１６２との間の処理が、要求された設定パーセント値の精度を達成しない場合、１６２から１２８に戻される。方法１００は、もし、設定された数（例えば、３回）の繰り返しの後に、１２８と１６２との間の処理が、要求された設定パーセント値の精度を達成しない場合、１６２から１２０に戻される。方法１００は、もし、設定された数（例えば、３回）の繰り返しの後に、１２０と１６２との間の処理が、要求された設定パーセント値の精度を達成しない場合、１６２から１１２に戻される。方法１００は、もし、設定された数（例えば、３回）の繰り返しの後に、１１２と１６２との間の処理が要求された設定パーセント値の精度を達成しない場合、１６２から１０４に戻される。全ての戻り試行が試行されて満足のいく結果が達成されなかった場合、方法１００は、無限ループ又は他の望ましくない処理を防ぐために停止することになる。１６２から、方法１００は１６４に進む。
【０１０６】
１６４において、結果データは、異なる目的のために使用され得る。例えば、１６４ａからのデータは、別のＮＮのための入力として使用されることができ、１６４ｂからのデータは、画像に変換されると共に別のＮＮの入力として使用されることができ、また１６４ｃからのデータは、モデル化すると共に必要なものとして様々なパラメータを予測するために、別のＮＮ又シミュレーションタイプのソフトウェアのための入力として使用される。
【０１０７】
逆伝搬（バックプロパゲーション）は、最も一般的に使用されるフィードフォワードＮＮモデルであり、データの学習セットをＮＮを学習させるために必要としており、所望の結果を提供する一組の検証データをＮＮを確認するいために必要としており、新しい入力データを、結果を予測するために必要としている。逆伝播のＮＮは、（例えば、勾配降下法を用いて）入力に関連付けられた重みを調整することによって、出力における誤差を減らすという原則に基づき機能する。逆伝播法への他の代替は、限定されるものでは無いが、ヘブ学習、強化学習、及び人工進化を含む。
【０１０８】
逆伝播ＮＮを利用して空隙率を計算することが、ここで、例として説明される。前の説明に整合すると共に高レベルにおいて、（間隙率及び透過率のデータが利用可能であった）コアプラグための一組のＣＴスキャン画像は、最初に、画像セグメンテーションのためのプラグを準備する（例えば、図１Ａの１１２）ために、画像の前処理（例えば、図１Ａの１０４）にかけることができる。その後に、プラグ画像は、色、色相、彩度、グラデーション、値、テクスチャ、空間座標に関してセグメント化される。データセットは、学習、テスト、及び予測のデータセットに分けられる。
【０１０９】
次に、誤差が特定された許容限界内に最小化されるまで、逆伝搬ＮＮには訓練データの組が供給されると共に、次いで、テストデータの組を用いて試験される（例えば、間隙率の値の場合、許容限界は５と２５との間にあるべきである）。ＮＮが学習される共にテストされると、該ＮＮが、間隙率のためのデータの既知の組と未知の組との両方を予測するために利用される。
【０１１０】
学習及びテストのデータセットが（例えば、１２８において）誤差を最小化できない場合、入力データの再較正は、通常、画像セグメンテーションのステップ１１２の後に、データの画像改善１０４を介して実行されることができる。これが働かない場合、そのときには、画像セグメンテーション１１２を訪れると共に、画像をセグメント化して更新された入力データを取得するために異なる技術を採用する。このプロセスは、必要な結果を達成して特定のＮＮモデルを学習させるために、初期の画像改善１０４から開始して、繰り返されることができる。ＮＮが学習されると、学習が保存されると共に新しい入力データに使用されることができる。同様に、これらのステップは、坑井コアのＣＴスキャン画像の一組から他の石油物理的特性を予測するために、課されることができる。そのような分析の１つが例として提示される。ＭＡＴＬＡＢプラットフォームが、コーディング、分析、及びＮＮに使用された。
【０１１１】
図３Ａ〜図３Ｃは、本願の実施に従う、画像改善及び画像セグメンテーションに続く使用可能なデータ（選択されたＮＮのための入力データ）を表示するテーブル３００を示す。テーブル３００は、一旦画像が１０２、１０４、１０８、及び１１２を介して通過した時点の１１６からの結果を表す。図３Ａ〜図３Ｃからのデータは、１２０に供給される。
【０１１２】
図４Ａ〜図４Ｃは、本願の実施に従う、処理された画像毎の間隙率（選択されたＮＮのための目標データ）の既知データ値を表示するテーブル４００を示す。データは、ＮＮのために１２８の入力として使用されることができる。
【０１１３】
図４Ａ〜図４Ｃは、核磁気共鳴（ＮＭＲ）の間隙率の測定に基づく典型的な組のデータを示す。ＮＭＲ装置のキャリブレーションに基づき、該機器は、同じ組の試料が様々な実験室の液体にさらされると共にＮＭＲ空隙率が各プロセスの後に測定された場合、平均化を行い空隙率の同じ値を提供する。異なるプロセス（例えば、異なる流体）に試料がさらされたとしても、キャリブレーションがベース流体を用いて行われるので、ＮＭＲの結果は、同一のままであり、そのようなものとして、実際のデータを表さない。
【０１１４】
１２２ａ、１２２ｂ、１２２ｃ、及び１２２ｄを介してＮＭＲデータと一緒に試料に対して１２０において実行されたプロセスに関連付けられた情報によれば、１組のみのベースキャリブレーションを提供したＮＭＲ機器に依存するだけでなく、流体の関数として可変である間隙率の実際の値を提供する間隙率の値を取得することが可能になる。
【０１１５】
試料が経たプロセスに関して補正されたＮＭＲ間隙率があると、その間隙率は、他の結果（例えば、水銀注入試験からの細孔喉のサイズ選別）と組み合わせることができ、またこれらのログから単なる間隙率より多くのものを推測するために、現場のＮＭＲログに変換（スケーリング）される。
【０１１６】
実施例では、前述の説明と整合して、坑井のＣＴスキャン画像は、改善された画像のセグメンテーション（ここでは、１０２；１０４（１０６ａ、１０６ｂ、１０６ｃ、１０６ｄ））；１０８（１１０ａ、１１０ｂ）；１１２（１１４ａ、１１４ｂ、１１４ｄ、１１４ｅ、１１４ｆ）；及び１１６（１１８ａ、１１８ｂ）を実行するために、画像分析プロセスステップにかけられる。７４個の試料からの合計の画像が、（ここでは、１２０（１２２ａ、１２２ｂ、１２２ｃ、１２２ｄ）及び１２４（１２６）を用いて）７つの特有のデータセット（７４ｘ７の行列）を生成するために、画像処理及びセグメンテーションにかけられる。ＮＮは、これらの試料のＮＭＲ間隙率を用いて（ここでは、１２８を用いて）学習された。
【０１１７】
１２８では、２０個のシグモイド隠しニューロン及び線形出力ニューロン（ＦＩＴＮＥＴ）を持つ２層のフィードフォワードＮＮが、多次元問題に適合するために使用された。ネットワークは、Ｌｅｖｅｎｂｅｒｇ−Ｍａｒｑｕａｒｄｔ逆伝播アルゴリズム（ｔｒａｉｎｌｍ）を用いて学習された。データセット全体は、３つの部分に分けられた：１）学習、２）検証、３）テスト。Ｌｅｖｅｎｂｅｒｇ−Ｍａｒｑｕａｒｄｔの逆伝播アルゴリズムは、最適な解を得るために反復を続け、しかし、学習は、検証の平均二乗誤差が改善しなくなると、停止する。ニューラル応答の出力ｖｓ．（対）目標出力の回帰プロットは、ＮＮのパフォーマンスを評価する信頼できる方法を提供する。同様に、目標出力の誤差ヒストグラムは、ニューラルパフォーマンスの迅速な視覚的解釈を提供する。画像のプロパティのデータセットが、行列「データ」として定義され、一方で、ＮＭＲ間隙率の目標データセットは「ＮＭＲＰｏｒｏｓｉｔｙ０ｘ２５」と名付けられた。学習、検証、誤差ヒストグラムのためのプロットとコードが提示され、ＭＡＴＬＡＢエディタが利用された。
【０１１８】
図５Ａから図５Ｂは、選択されたＮＮの学習及びテストの第１反復結果を表すプロット５００ａ及び５００ｂであり（１２８において、しかし、反復は、例えば１０８、１１６、１２４、１３０、１３６、１６２においても生成されるであろう）、しかし、収束は、本願の実施によれば、失敗する（「テスト、Ｒ＝０．３１９１」）。プロット５００ａは、ＮＮのパフォーマンスを評価するための、目標（ターゲット）に対するニューラル応答ｖｓ．（対）目標の出力の回帰プロットである。プロット５００ａから理解されるように、サブプロット５０２は「テスト、Ｒ＝０．３１９１」を示す。プロット５００ｂは、ニューラルパフォーマンスの迅速な視覚的解釈を提供する目標出力の誤差ヒストグラムである。
【０１１９】
図６Ａから図６Ｂは、選択されたＮＮの学習及びテストの第２反復結果を表すプロット６００ａ及び６００ｂであり（１２８において−しかし、反復が、また、例えば１０８、１１６、１２４、１３０、１３６、及び１６２で発生されている）、ここで、本願の実施に従えば、収束は、満足できる（「テスト、Ｒ＝０．９５４０７」）。プロット６００ａは、ＮＮのパフォーマンスを評価するための、ニューラル応答ｖｓ．（対）目標の出力の回帰プロットである。プロット６００ａから理解できるように、サブプロット６０２は、「テスト、Ｒ＝０．９５４０７」であることを示す。プロット６００ｂは、ニューラルパフォーマンスの迅速な視覚的解釈を提供する目標出力の誤差ヒストグラムである。第２反復の後に、ＮＮは、学習されたものと考えられ、また間隙率を予測するために利用可能なＮＭＲ間隙率データ（画像のみ）がない坑井コアの画像を分析するために使用可能であるものと考えられる。
【０１２０】
第２反復によれば、より良好な改善された出来具合を提供しており、またそのような結果としてのＮＮコード（１２８から）は、保存され、間隙率を予測するために使用された。結果のＮＮコードの例は、次のとおりである：
【表３１】
2020534456.tif 000005
【表３２】
2020534456.tif 000006
【表３３】
2020534456.tif 000007
【０１２１】
この場合、間隙率の直接予測が最終結果であった。他の場合では、該出力が、深さの関数としての値の範囲であることができ、又は出力値は、複数のパラメータであることができた。そのときには、複数のパラメータ出力が、他の石油物理特性を予測するために、更なる分析のために使用されることができる。
【０１２２】
ポスト・ニューラルネットワークの経験的関係
【０１２３】
入力の提供された組のための所与のＮＮからの出力は、次に、（他の石油物理的特性を得るために）経験的関係を用いて操作されるか、又は他のＮＮへの入力として使用されることができる。最も一般的な経験的関係は、間隙率のこの例に関しては、透過率、流体飽和、又は他の石油物理的特性を予測することにおけるものである。
例えば、以下の事項に関連する間隙率：
・接続された及び接続されていない細孔（画像のサイズ及び間隙率の値に関する経験的関係ベースで）、
・透過性（間隙率から透過率を計算するための経験的関係）、
・彩度（画像の様々な陰影分析間の関係）、
・応力（間隙率の値ｖｓ．（対）深さの関数として応力効果を計算するための関係）、
・機械的強度（色のシェード−深度−間隙率間の関係（例えば、画像内の赤い色の振幅）、
・地震波速度（１２８への入力として地震データを用いて）、
・破砕能力（領域間の境界の関数として（赤（脆い）オレンジ（軟い）））、
・従来とは異なるマイクロ−ナノ関係（これは、１１２において、エッジ検出−閾値処理及びヒストグラムビニングから達成されることができる）、
・マトリックスｖｓ．（対）母油（ケロゲン）（これは、様々な材料の弾性を表示するために様々な色を識別することによって１１２で達成されることができる）。
・様々なログツールの補正（ログツールは、修正を行うために実験室データを必要とする）。
【０１２４】
図７は、一実施に従う、本願においで説明されるものとして、説明されたアルゴリズム、メソッド、関数、プロセス、フロー、及びプロシジャに関連付けられた計算機能を提供するために使用される例示的なコンピュータシステム７００のブロック図である。図示されたコンピュータ７０２は、サーバ、デスクトップコンピュータ、ラップトップ／ノートブックコンピュータ、無線データポート、スマートフォン、携帯情報端末（ＰＤＡ）、タブレットコンピューティングデバイス、これらのデバイス内の１又は複数のプロセッサ、別のコンピュータデバイス、又はコンピューティングデバイスの組み合わせといった任意のコンピューティングデバイスを包含するように意図されており、コンピューティングデバイスの物理インスタンス又は仮想インスタンス、又はコンピューティングデバイスの物理インスタンス又は仮想インスタンスの組み合わせを含んでいる。加えて、コンピュータ７０２は、キーパッド、キーボード、タッチスクリーン、別の入力デバイス、又はユーザ情報を受け入れできる入力デバイスの組み合わせといった入力デバイスと、グラフィカルタイプのユーザインターフェース（ＵＩ）（又はＧＵＩ）又は他のＵＩ上のコンピュータ７０２の操作に関連付けられた情報を伝達する出力デバイスとを含むコンピュータを備えることができ、該情報は、デジタルデータ、ビジュアル、オーディオ、別のタイプ、又はタイプの情報の組み合わせの情報を含む。
【０１２５】
コンピュータ７０２は、クライアント、ネットワークコンポーネント、サーバ、データベース若しくは別のパージステンシィ（ｐｅｒｓｉｓｔｅｎｃｙ、永続性）、別の役割、又は本願において説明された主題を実行するための役割の組み合わせとして、コンピュータシステム内の役割を果たし得る。図示されたコンピュータ７０２は、ネットワーク７３０に通信可能に結合されている。いくつかの実施では、コンピュータ７０２の１又は複数のコンポーネントは、環境内において動作するように構成されることができ、環境は、クラウドコンピューティングベース、ローカル、グローバル、別の環境、又はそれらの組み合わせを含む。
【０１２６】
高レベルでは、コンピュータ７０２は、記載された主題に関連付けられたデータ及び情報を受信し、送信し、処理し、格納し、又は管理するように動作可能な電子計算装置である。いくつかの実施によれば、コンピュータ７０２は、また、サーバを含むことができ、又はサーバに通信可能に結合されることができ、サーバは、アプリケーションサーバ、電子メールサーバ、ウェブサーバ、キャッシングサーバ、ストリーミングデータサーバ、別のサーバ、又はサーバの組み合わせを含む。
【０１２７】
コンピュータ７０２は、ネットワーク７３０にわたって（例えば、別のコンピュータ７０２上で動作するクライアントソフトウェアアプリケーションから）要求を受信することができ、また受信された要求をソフトウェアアプリケーション又はソフトウェアアプリケーションの組み合わせを用いて処理することによって、受信された要求に応答することができる。加えて、要求は、また、内部ユーザ（例えば、コマンドコンソールから、又は別の内部アクセス方法によって）、外部パーティ、第三者、又は他の実体、個々、システム、若しくはコンピュータから、コンピュータ７０２に送信されることができる。
【０１２８】
コンピュータ７０２の構成要素の各々は、システムバス７０３を使用して通信することができる。いくつかの実施では、コンピュータ７０２の構成要素のいずれか又は全ては、ハードウェア、ソフトウェア、又はハードウェア及びソフトウェアの組み合わせを含むものであって、アプリケーションプログラミングインターフェース（ＡＰＩ）７１２、サービス層７１３、又はＡＰＩ７１２及びサービス層７１３の組み合わせを用いてシステムバス７０３にわたってインターフェースで結合する。ＡＰＩ７１２は、ルーチン、データ構造、及びオブジェクトクラスのための仕様を含むことができる。ＡＰＩ７１２は、コンピュータ言語への依存無し又は依存有りのいずれかであることができ、完全なインターフェース、単一の関数、又は一組のＡＰＩさえも指すことある。サービス層７１３は、コンピュータ７０２、又はコンピュータ７０２に通信可能に結合される他のコンポーネント（図示の有無に関係なく）にソフトウェアサービスを提供する。コンピュータ７０２の機能は、このサービス層を用いて全てのサービスコンシューマにてアクセス可能である。サービス層７１３によって提供されるものといったソフトウェアサービスは、定義されたインターフェースを介して再利用可能な定義された機能を提供する。例えば、インターフェースは、ＪＡＶＡ（登録商標）、Ｃ＋＋、別のコンピューティング言語、又はコンピューティング言語の組み合わせで書かれたソフトウェアであることができ、該コンピューティング言語は、拡張マークアップ言語（ＸＭＬ）フォーマット、別のフォーマット、又はフォーマットの組み合わせでのデータを提供する。コンピュータ７０２の統合コンポーネントとして示されているが、代替の実施は、コンピュータ７０２の他のコンポーネント、又はコンピュータ７０２に通信可能に結合される他のコンポーネント（図示の有無に関係なく）に関連して、スタンドアロンコンポーネントとして、ＡＰＩ７１２又はサービス層７１３を例示できる。さらには、ＡＰＩ７１２又はサービス層７１３のいずれか又は全ての部分は、本願の範囲から逸脱することなく、別のソフトウェアモジュール、エンタープライズアプリケーション、又はハードウェアモジュールのチャイルド又はサブモジュールとして実施されることができる。
【０１２９】
コンピュータ７０２は、インターフェース７０４を含む。図７においては単一のインターフェース７０４として図示されているけれども、２又はより多くのインターフェース７０４が、コンピュータ７０２の特定の必要性、要望、又は特定の実施に従って使用されることができる。インターフェース７０４は、分散環境においてネットワーク７３０に接続されている別のコンピューティングシステム（図示の有無に関係無く）と通信するために、コンピュータ７０２によって使用されることができる。一般には、インターフェース７０４は、ネットワーク７３０と通信するように動作可能であり、またソフトウェア、ハードウェア、又はソフトウェア及びハードウェアの組み合わせにおいてエンコードされたロジックを含む。より具体的には、インターフェース７０４は、ネットワーク７３０又はインターフェースのハードウェアが、図示されたコンピュータ７０２の内部及び外部において物理信号を通信するように動作可能であるように、通信に関連付けられた１又は複数の通信プロトコルをサポートするソフトウェアを備えることができる。
【０１３０】
コンピュータ７０２は、プロセッサ７０５を含む。図７において単一のプロセッサ７０５として例示されているけれども、２又はより多くのプロセッサが、コンピュータ７０２の特定の必要性、要望、又は特定の実施に従って使用されることができる。一般には、プロセッサ７０５は、コンピュータ７０２の動作、及び本願に記載されたような任意のアルゴリズム、メソッド、関数、プロセス、フロー、及びプロシジャを実行するために、命令を実行すると共にデータを操作する。
【０１３１】
コンピュータ７０２は、また、コンピュータ７０２、ネットワーク７３０に接続された別のコンポーネント（図示の有無に関係無く）、又はコンピュータ７０２及び別のコンポーネントの組み合わせのためにデータを保持できるデータベース７０６を含む。例えば、データベース７０６は、インメモリ、従来型のデータベース、又は本願に整合するデータを格納する別のタイプのデータベースであり得る。いくつかの実施では、データベース７０６は、コンピュータ７０２及び説明された機能の特定の必要性、要望、又は特定の実施に従って、２又はより多くの異なるデータベースタイプ（例えば、ハイブリッドインメモリ及び従来のデータベース）の組み合わせであり得る。図７においては単一のデータベース７０６として示されているけれども、類似又は異なるタイプの２又はより多くのデータベースが、コンピュータ７０２及び説明された機能の特定の必要性、要望、又は特定の実施に従って使用されることができる。データベース７０６は、コンピュータ７０２の統合コンポーネントとして例示される一方で、代替の実施では、データベース７０６は、コンピュータ７０２の外部にあってもよい。図示のように、データベース７０６は、前述の画像データ７１６、改善された画像データ７１８、及びセグメント化画像データ７２０を保持する。
【０１３２】
コンピュータ７０２は、また、コンピュータ７０２、ネットワーク７３０に接続された別のコンポーネント若しくは複数のコンポーネント（図示の有無に関係無く）、又はコンピュータ７０２及び別のコンポーネントの組み合わせのためにデータを保持できるメモリ７０７を含む。メモリ７０７は、本願に整合する任意のデータを格納できる。いくつかの実施では、メモリ７０７は、コンピュータ７０２及び説明された機能の特定の必要性、要望、又は特定の実施に従って、２又はより多くの異なるタイプのメモリの組み合わせ（例えば、半導体及び磁気の記憶装置の組み合わせ）であり得る。図７においては単一のメモリ７０７として例示されているけれども、２又はより多くのメモリ７０７又は類似若しくは異なるタイプが、コンピュータ７０２及び説明された機能の特定の必要性、要望、又は特定の実施に従って使用されることができる。メモリ７０７は、コンピュータ７０２の統合コンポーネントとして例示されている一方で、代替の実施では、メモリ７０７は、コンピュータ７０２の外部にあってもよい。
【０１３３】
アプリケーション７０８は、コンピュータ７０２の特定の必要性、要望、又は特定の実施に従って機能を、特に本開示において説明された機能に関して、提供するアルゴリズムソフトウェアエンジンである。例えば、アプリケーション７０８は、１又は複数のコンポーネント、モジュール、又はアプリケーションとして機能することができる。さらに、単一のアプリケーション７０８として例示されているけれども、アプリケーション７０８は、コンピュータ７０２上における複数のアプリケーション７０８として実施されることができる。加えて、コンピュータ７０２と一体として例示されているけれども、代替の実施では、アプリケーション７０８は、コンピュータ７０２の外部にあってもよい。
【０１３４】
コンピュータ７０２は、また、電源７１４を含むことができる。電源７１４は、ユーザによる交換可能又はユーザによる交換不可能のいずれかであるように構成されることができる充電式又は非充電式の電池を含むことができる。いくつかの実施では、電源７１４は、電力変換又は管理の回路（再充電、スタンバイ、又は別の電力管理機能を含む）を含むことができる。いくつかの実施では、電源装置７１４は、電源プラグを含むことができ、該電源プラグは、例えばコンピュータ７０２に電力を供給し又は充電式電池を再充電するために、コンピュータ７０２を壁のソケットに、又は別の電源に差し込むことを可能にしている。
【０１３５】
任意の数のコンピュータ７０２があることができ、該コンピュータは、コンピュータ７０２を含むコンピュータシステムに関連付けられ、又は該コンピュータシステムの外部にあり、各コンピュータ７０２は、ネットワーク７３０を介して通信する。さらに、用語「クライアント」、「ユーザ」、又は他の適切な用語は、本願の範囲から逸脱することなく、必要に応じて互換的に使用される。さらには、本願は、多くのユーザが１つのコンピュータ７０２を使用できること、又は１のユーザが複数のコンピュータ７０２を使用できることを企図している。
【０１３６】
主題の記載される実施は、単独で又は組み合わせて、１又は複数の特徴を含むことができる。
【０１３７】
例えば、第１実施において、コンピュータにより実施される方法は、アーティファクトを除去すると共に所望の目標（ターゲット）出力に関連付けられた情報を取り戻す（回復する、復旧する）ために、画像処理を用いて、改善された画像データを生成するように、受けた画像データを改善するステップと；特定の画像ベースの基準に関して、改善された画像データをコヒーレント領域に区分化することによって、使用可能な改善された画像データに対して画像セグメンテーション（画像分割）を実行して、セグメント化された画像データを生成するステップと；前処理されたデータとしてニューラルネットワークへの入力のために、使用可能なセグメント化された画像データ及び補助データを前処理するステップと；前処理されたデータを学習、検証、及びテストのデータサブセットに分割するステップと；前処理されたデータを処理するためにニューラルネットワークアーキテクチャを特定するステップと；前処理されたデータを用いて、特定されたニューラルネットワークアーキテクチャを実行するステップと；特定されたニューラルネットワークの出力を後処理データとして後処理するステップと；後処理されたデータが所望の出力結果を満たすかどうかを特定するために、後処理されたデータを後処理されたデータに関連付けられた既知の値範囲と比較するステップと；を含む。
【０１３８】
前の及び他の説明された実施は、各々、任意選択的に、以下の特徴のうちの１又は複数を含むことができる。
【０１３９】
第１特徴は、以下の特徴のいずれかと組み合わせ可能なものであって、ここで、画像改善は、貯留層、坑井サイト、又は坑井コアの状態に関連付けられたパラメータ、及び１又は複数の石油物理的特性に基づいており、また画像データに対して実行された画像改善技術の数及び順序は、画像フォーマット又は画像サイズに基づき変わり；改善された画像データに対して実行された画像セグメンテーション技術の数及び順序は、画像の形式（フォーマット）、画像サイズ、又は必要な結果に基づき変化する。
【０１４０】
第２特徴は、前の又は引き続く特徴のいずれかと組み合わせ可能なものであって、改善された画像データ及びセグメント化画像データの有用性を特定するステップをさらに含む。
【０１４１】
第３特徴は、前の又は引き続く特徴のいずれかと組み合わせ可能なものであって、ここで、受けた使用可能なセグメント化画像データは、使用可能なセグメント化画像データから導出されたデータセットの数及びタイプに基づくパーセンテージに従って、学習、検証、及びテストのサブセットに、クラス分けのために分割される。
【０１４２】
第４特徴は、前の又は引き続く特徴のいずれかと組み合わせ可能なものであって、ここで、学習、検証、及びテストのデータサブセットにおける使用可能なセグメント化画像データが、連続又は離散のデータ源からであるか否かを特定することをさらに含む。
【０１４３】
第５特徴は、前の又は引き続く特徴のいずれかと組み合わせ可能なものであって、ここで、ニューラルネットワークアーキテクチャは、教師有り又は教師無しのいずれかであり、教師有りニューラルネットワークアーキテクチャは、リカレントニューラルネットワークタイプ又はフィードフォワードニューラルネットワークタイプを含み、教師無しニューラルネットワークアーキテクチャは、推定器又は抽出器のニューラルネットワークタイプを含む。
【０１４４】
第６特徴は、前の又は引き続く特徴のいずれかと組み合わせ可能なものであって、他の石油物理的特性を導出するために、又は新しいデータ関係を生成するために、後処理されたデータに対して追加の処理を実行するステップをさらに含む。
【０１４５】
第２実施では、コンピュータにより読み出し可能な非一時的な媒体は、以下の動作を実行するためにコンピュータシステムによって実行可能な１又は複数の命令を格納する：該動作は：アーティファクトを除くために及び望ましい目標出力に関連付けられた情報を回復する（取り戻す、復旧する）ために画像処理を用いて、受けた画像データを改善して、改善された画像データを生成する；特定の画像ベースの基準に関して、改善された画像データをコヒーレント領域に区分化することによって、使用可能な改善された画像データに対して画像セグメンテーションを実行して、セグメント化画像データを生成する；前処理されたデータとしてニューラルネットワーク内への入力のための使用可能なセグメント化画像データ及び補助データを前処理する；前処理されたデータを学習、検証、及びテストのデータサブセットに分割する；前処理されたデータを処理するために、ニューラルネットワークアーキテクチャを特定する；前処理されたデータを用いて、特定されたニューラルネットワークアーキテクチャを実行する；後処理されたデータとして、特定されたニューラルネットワークの出力を後処理する；及び、後処理されたデータが所望の出力結果を満たすかどうかを特定するために、後処理されたデータを、後処理されたデータに関連付けられた既知の値範囲と比較する。
【０１４６】
前の及び他の説明された実施は、各々、任意選択的に、以下の特徴のうちの１又は複数を含むことができる。
【０１４７】
第１特徴は、以下の特徴のいずれかと組み合わせ可能なものであって、ここで、画像の改善は、貯留層、坑井サイト、又は坑井コアの状態に関連付けられたパラメータ及び１又は複数の石油物理的特性に基づいており、また画像データに対して実行された画像改善技術の数及び順序は、画像フォーマット又は画像サイズに基づき変化する；及び、改善された画像データに対して実行された画像セグメンテーション技術の数及び順序は、画像フォーマット、画像サイズ、又は必要な結果に基づき変化する。
【０１４８】
第２特徴は、前の又は引き続く特徴のいずれかと組み合わせ可能なものであって、改善された画像データ及びセグメント化画像データの有用性を特定するために１又は複数の命令を更に含む。
【０１４９】
第３機能は、前の又は引き続く特徴のいずれかと組み合わせ可能なものであって、ここで、受けた使用可能なセグメント化画像データは、使用可能なセグメント化された画像データから導出されたデータセットの数及びタイプに基づくパーセンテージに従って、クラス分けのために、学習、検証、及びテストのサブセットに分割される。
【０１５０】
第４特徴は、前の又は引き続く特徴のいずれかと組み合わせ可能なものであって、学習、検証、及びテストのデータサブセットにおける使用可能なセグメント化画像データが連続又は離散データ源からのものである否かを特定するために１又は複数の命令を更に含む。
【０１５１】
第５特徴は、前の又は引き続く特徴のいずれかと組み合わせ可能なものであって、ここで、ニューラルネットワークアーキテクチャが教師有り又は教師無しであり、ここで、教師有りニューラルネットワークアーキテクチャは、リカレントニューラルネットワークタイプ又はフィードフォワードニューラルネットワークタイプを含み、ここで、教師無しニューラルネットワークアーキテクチャは、推定器又は抽出器のニューラルネットワークタイプを含む。
【０１５２】
第６特徴は、前の又は引き続く特徴のいずれかと組み合わせ可能なものであって、他の石油物理的特性を導出するために又は新しいデータ関係を生成するために、後処理されたデータに対して追加の処理を実行するための１又は複数の命令を更に含む。
【０１５３】
第３実施では、コンピュータにより実施されるシステムは：１又は複数のコンピュータ；及び、１又は複数のコンピュータメモリデバイスを含み、該コンピュータメモリデバイスは、１又は複数のコンピュータと相互利用可能に結合され、また機械により読み出し可能であり有形の非一時的な媒体を有し、該媒体は、一又は複数の命令を格納しており、該命令は、１又は複数のコンピュータによって実行されるとき、以下の動作を実行する：アーティファクトを除くために及び望ましい目標出力に関連付けられた情報を回復する（取り戻す、復旧する）ために画像処理を用いて、受けた画像データを改善して、改善された画像データを生成する；特定の画像ベースの基準に関して、改善された画像データをコヒーレント領域に区分化することによって、セグメント化画像データを生成するために、使用可能な改善された画像データに対して画像セグメンテーションを実行する；前処理されたデータとしてニューラルネットワーク内への入力のための使用可能なセグメント化画像データ及び補助データを前処理する；前処理されたデータを学習、検証、及びテストのデータサブセットに分割する；前処理されたデータを処理するために、ニューラルネットワークアーキテクチャを特定する；前処理されたデータを用いて、特定されたニューラルネットワークアーキテクチャを実行する；後処理されたデータとして、特定されたニューラルネットワークの出力を後処理する；及び、後処理されたデータが所望の出力結果を満たすかどうかを特定するために、後処理されたデータを、後処理されたデータに関連付けられた既知の値範囲と比較する。
【０１５４】
前の及び他の説明された実施は、各々、任意選択的に、以下の特徴のうちの１又は複数を含むことができる。
【０１５５】
第１特徴は、以下の特徴のいずれかと組み合わせ可能なものであって、ここで、画像の改善は、貯留層、坑井サイト、又は坑井コアの状態に関連付けられたパラメータ及び１又は複数の石油物理的特性に基づいており、また画像データに対して実行された画像改善技術の数及び順序は、画像フォーマット又は画像サイズに基づき変化し、改善された画像データに対して実行された画像セグメンテーション技術の数及び順序は、画像フォーマット、画像サイズ、又は必要な結果に基づき変化する。
【０１５６】
第２特徴は、前の又は引き続く特徴のいずれかと組み合わせ可能なものであって、改善された画像データ及びセグメント化画像データの有用性を特定するために１又は複数の命令を更に含む。
【０１５７】
第３機能は、前の又は引き続く特徴のいずれかと組み合わせ可能なものであって、ここで、受信した使用可能なセグメント化画像データは、使用可能なセグメント化画像データから導出されたデータセットの数及びタイプに基づくパーセンテージに従って、クラス分けのために、学習、検証、及びテストのサブセットに分割される。
【０１５８】
第４特徴は、前の又は引き続く特徴のいずれかと組み合わせ可能なものであって、ここで、学習、検証、及び、テストのデータサブセットにおける使用可能なセグメント化画像データは、連続又は離散のデータ源からであるか否かを特定するために１又は複数の命令を更に含む。
【０１５９】
第５特徴は、前の又は引き続く特徴のいずれかと組み合わせ可能なものであって、ここで、ニューラルネットワークアーキテクチャは教師有り又は教師無しのいずれかであり、ここで、教師有りニューラルネットワークアーキテクチャは、リカレントニューラルネットワークタイプ又はフィードフォワードニューラルネットワークタイプを含み、ここで、教師無しニューラルネットワークアーキテクチャは、推定器又は抽出器のニューラルネットワークタイプを含む。
【０１６０】
第６特徴は、前の又は引き続く特徴のいずれかと組み合わせ可能なものであって、他の石油物理的特性を導出するために又は新しいデータ関係を生成するために、後処理されたデータに対して追加の処理を実行する１又は複数の命令を更に含む。
【０１６１】
本明細書で説明された主題及び機能的動作の実施は、デジタル電子回路類で、有形に具現化されたコンピュータソフトウェア若しくはファームウェアで、本明細書において開示された構造及びそれらの構造的な等価物を含むコンピュータハードウェアで、又はそれらの１若しくは複数の組み合わせで実施される。説明された主題のソフトウェアの実施は、１又は複数のコンピュータプログラムとして、つまり、データ処理装置による実行のための又はデータ処理装置の動作を制御するための、コンピュータにより読み出し可能な、有形の非一時的なコンピュータ記憶媒体上において、エンコードされたコンピュータプログラム命令の１又は複数のモジュールとして、実施されることができる。或いは、又は追加的に、プログラム命令は、人工的に生成された伝播された信号、例えば、機械により生成された電気的な、光学的な、又は電磁的な信号において／該信号上においてエンコードされることができ、該信号は、データ処理装置による実行のための受信器装置への送信のための情報をエンコードして生成される。コンピュータ記憶媒体は、機械により読み出し可能な記憶デバイス、機械により読み出し可能な基板、ランダムアクセスメモリデバイス若しくはシリアルアクセスメモリデバイス、又はコンピュータ記憶媒体の組み合わせであり得る。１又は複数のコンピュータを構成することは、１又は複数のコンピュータが、ハードウェア、ファームウェア、又はソフトウェア（又はハードウェア、ファームウェア、及びソフトウェアの組み合わせ）をインストールすることを意味する。
【０１６２】
「リアル−タイム（ｒｅａｌ−ｔｉｍｅ）」、「リアル（ｒｅａｌ）タイム（ｔｉｍｅ）」、「リアルタイム（ｒｅａｌｔｉｍｅ）」、「リアル（ｒｅａｌ）（高速）タイム（（ｆａｓｔ）ｔｉｍｅ）（ＲＦＴ）」、「ほぼリアルタイム（ＮＲＴ：ｎｅａｒｌｙ  ｒｅａｌ  ｔｉｍｅ）」、「準リアルタイム（ｑｕａｓｉ  ｒｅａｌ  ｔｉｍｅ）」又は（当業者によって理解されるような）類似の用語は、行動及び応答が実質的に同時に発生すると個々が知覚するように行動及び応答が時間的に近接していることを意味する。例えば、データをアクセスする個々のアクションに続くデータの表示への応答に関する（又は表示の開始のため）の時間差は、１ミリ秒（ｍｓ）未満、１秒（ｓ）未満、又は５秒未満である可能性がある。要求されたデータが、即座に表示される（又は表示のために開始される）ことの必要無い一方で、説明されたコンピューティングシステムの処理制限と、データを収集し、正確に測定し、分析し、処理し、格納し、又は伝送するために必要な時間とを考慮して、意図的な遅延なしに表示される（又は表示するために開始される）。
【０１６３】
「データ処理装置」、「コンピュータ」、又は「電子コンピュータデバイス」（又は当業者によって理解されるものの等価物）の用語は、データ処理ハードウェアを指し、またデータ処理のための全ての種類の装置、デバイス、及び機械を包含しており、例として、プログラム可能なプロセッサ、コンピュータ、又が複数のプロセッサ若しくはコンピュータを含む。該装置は、また、特殊用途の論理回路類、例えば中央処理装置（ＣＰＵ）、ＦＰＧＡ（フィールドプログラマブルゲートアレイ）、又はＡＳＩＣ（特定用途向け集積回路）を更に含むことができ、また特殊用途の論理回路類、例えば中央処理装置（ＣＰＵ）、ＦＰＧＡ（フィールドプログラマブルゲートアレイ）、又はＡＳＩＣ（特定用途向け集積回路）あることができる。いくつかの実施では、データ処理装置又は専用ロジック回路類（又はデータ処理装置若しくは専用ロジック回路類の組み合わせ）は、ハードウェアベース又はソフトウェアベース（又はハードウェアベース及びソフトウェアベースの両方の組み合わせ）であることができる。該装置は、コンピュータプログラムの実行環境を作成するコード、例えば、プロセッサファームウェア、プロトコルスタック、データベース管理システム、オペレーティングシステム、又は実行環境の組み合わせを構成するコードを、任意的な選択で、含むことができる。本願は、あるタイプのオペレーティングシステム、例えば、ＬＩＮＵＸ、ＵＮＩＸ（登録商標）、ＷＩＮＤＯＷＳ（登録商標）、ＭＡＣ  ＯＳ、ＡＮＤＲＯＩＤ（登録商標）、ＩＯＳ、別のオペレーティングシステム、又はオペレーティングシステムの組み合わせを持つデータ処理装置の使用を企図する。
【０１６４】
コンピュータプログラムは、プログラム、ソフトウェア、ソフトウェアアプリケーション、モジュール、ソフトウェアモジュール、スクリプト、若しくはコードとして参照され又は説明されることができるものであって、任意の形式のプログラミング言語で記述されることができ、該プログラミング言語は、コンパイルされる言語若しくはインタプリタされる言語、又は宣言型若しくは手続き型の言語を含み、また任意の形式で展開されることができ、該任意の形式は、スタンドアロンプログラムとして、又はコンピューティング環境における使用のためのモジュール、コンポーネント、サブルーチン、若しくは別のユニットとして含む。コンピュータプログラムは、ファイルシステム内のファイルに対応することができ、しかし、対応する必要ない。プログラムは、他のプログラム又はデータを保持するファイルの一部に格納されることができ、該プログラム又はデータは、例えば、マークアップ言語ドキュメントに、問題のプログラム専用の単一ファイルに、又は複数の調整ファイル、例えば１若しくは複数のモジュール、サブプログラム、若しくはコードの一部に保存された複数のファイルに格納された１又は複数のスクリプトであることができる。コンピュータプログラムは、１つのコンピュータ上において、又は１つのサイトに置かれた、若しくは通信ネットワークによって相互接続され複数のサイトに分散された複数のコンピュータ上において実行されるように展開されることができる。
【０１６５】
様々な図面に例示されたプログラムの一部は、様々なオブジェクト、メソッド、又は他のプロセスを介して様々な特徴及び機能を実施する個々のモジュールとして示される一方で、プログラムは、代わりに、いくつかのサブモジュール、サードパーティのサービス、コンポーネント、ライブラリ、及びそのようなものを必要に応じて含むことができる。逆に、必要に応じて、様々なコンポーネントの機能及び特徴は組合されることができて、必要に応じて、単一のコンポーネントになる。計算的な特定を為すために使用された閾値は、静的に、動的に、又は静的及び動的の両方で特定されることができる。
【０１６６】
本明細書において説明された方法、プロセス、又は論理フローは、入力データに対して動作すると共に出力を生成することによって機能を実行するために、１又は複数のコンピュータプログラムを実行する１又は複数のプログラム可能なコンピュータによって実行されることができる。該方法、プロセス、又は論理フローは、また、特定用途の論理回路類、例えば、ＣＰＵ、ＦＰＧＡ、又はＡＳＩＣによって実行されることができ、装置は、特定用途の論理回路類、例えば、ＣＰＵ、ＦＰＧＡ、又はＡＳＩＣとして実行されることもできる。
【０１６７】
コンピュータプログラムの実行のためのコンピュータは、汎用若しくは専用のマイクロプロセッサ、両方、又は別のタイプのＣＰＵに基づくことができる。一般には、ＣＰＵは、メモリから命令及びデータを受けて、メモリに書き込む。コンピュータの基幹的な要素は、ＣＰＵであり、該ＣＰＵは命令を実行し（ｐｅｒｆｏｒｍｉｎｇ）又は実行する（ｅｘｅｃｕｔｉｎｇ）ためのものであって、また命令及びデータを格納するための１又は複数のメモリデバイスである。一般には、コンピュータは、また、データを格納するための１又は複数の大容量記憶装置、例えば磁気、光磁気ディスク、又は光ディスクを含み、又は該大容量記憶装置からデータを受信すると共に該大容量記憶装置にデータを渡すように該大容量記憶装置に動作可能に結合される。しかしながら、コンピュータは、そのようなデバイスを有する必要はない。さらには、コンピュータは、別のデバイス、例えば携帯電話、携帯情報端末（ＰＤＡ）、モバイルオーディオ若しくはビデオプレーヤー、ゲームコンソール、全地球測位システム（ＧＰＳ）受信機、又はポータブルメモリに組み込まれることができる。
【０１６８】
コンピュータプログラム命令及びデータを格納するためのコンピュータにより読み出し可能な非一時的な媒体は、全ての形式の永久的／非永久的又は揮発性／不揮発性メモリ、媒体、及びメモリデバイスを含むことができ、例示として、半導体メモリデバイス、例えばランダムアクセスメモリ（ＲＡＭ）、読み取り専用メモリ（ＲＯＭ）、相変化メモリ（ＰＲＡＭ）、スタティックランダムアクセスメモリ（ＳＲＡＭ）、ダイナミックランダムアクセスメモリ（ＤＲＡＭ）、消去可能なプログラマブル読み取り専用メモリ（ＥＰＲＯＭ）、電気的に消去可能なプログラマブル読み取り専用メモリ（ＥＥＰＲＯＭ）、及びフラッシュメモリデバイス；磁気デバイス、例えばテープ、カートリッジ、カセット、内蔵／リムーバブルディスク；光磁気ディスク；光学メモリデバイス、例えば、デジタルビデオディスク（ＤＶＤ）、ＣＤＲＯＭ、ＤＶＤ＋／−Ｒ、ＤＶＤ−ＲＡＭ、ＤＶＤ−ＲＯＭ、ＨＤ−ＤＶＤ、ＢＬＵＲＡＹ、及びその他の光学メモリテクノロジ；を含む。メモリは、様々なオブジェクト又はデータを格納でき、これらは、キャッシュ、クラス、フレームワーク、アプリケーション、モジュール、バックアップデータ、ジョブ、Ｗｅｂページ、Ｗｅｂページテンプレート、データ構造、データベーステーブル、動的情報を格納するリポジトリ、又は任意のパラメータ、変数、アルゴリズム、命令、ルール、制約、又は参照を含む他の適切な情報を含む。加えて、メモリは、ログ、ポリシー、セキュリティ若しくはアクセスデータ、又はレポートファイルといった他の適切なデータを含むことができる。プロセッサ及びメモリは、特定目的のロジック回路類によって補完され、又は組み込まれることができる。
【０１６９】
ユーザとの相互のやり取りを提供するために、本明細書において説明された主題の実施は、ユーザに情報を表示する表示デバイス、例えばＣＲＴ（陰極線管）、ＬＣＤ（液晶ディスプレイ）、ＬＥＤ（発光ダイオード）又はプラズマモニターと、ユーザがコンピュータに入力を提供するキーボード及びポインティングデバイス、例えばマウス、トラックボール、又はトラックパッドと、を有するコンピュータ上において実施されることができる。入力は、また、タッチスクリーンを用いてコンピュータ、例えば圧力感度を持つタブレットコンピュータサーフェース、静電容量式若しくは電気式の検知を用いるマルチタッチスクリーン、又は別のタイプのタッチスクリーン、に提供されることもできる。他のタイプのデバイスが、ユーザと相互のやり取りを行うために使用されることができる、例えば、ユーザに提供されたフィードバックは、任意の形式の感覚フィードバック（視覚、聴覚、触覚、又はフィードバックタイプの組み合わせといったもの）であることができる。ユーザからの入力は、任意の形式で受け取られることができ、任意の形式は、音響、音声、又は触覚入力を含む。加えて、コンピュータは、ユーザと、該ユーザが使用するデバイスにドキュメントを送ると共に該デバイスからドキュメントを受けることによって（例えば、Ｗｅｂブラウザーから受信した要求に応答して、ユーザのクライアントデバイス上のＷｅｂブラウザーにＷｅｂページを送信することによって）対話できる。
【０１７０】
用語「グラフィカルユーザインターフェース」又は「ＧＵＩ」は、１又は複数のグラフィカルユーザインターフェース及び特定のグラフィカルユーザインターフェースの表示の各々を説明するために、単数形又は複数形において使用される。したがって、ＧＵＩは、任意のグラフィカルユーザインターフェースを表すことができ、該グラフィカルユーザインターフェースは、限定されるものはないが、情報を処理すると共にユーザに情報の結果を効率的に提示するＷｅｂブラウザー、タッチスクリーン、又はコマンドラインインターフェース（ＣＬＩ）を含む。一般には、ＧＵＩは、複数のユーザインターフェース（ＵＩ）要素を含み、これらのいくつか又は全ては、インタラクティブフィールド、プルダウンリスト、及びボタンといったＷｅｂブラウザーに関連付けられる。これらのＵＩ要素及び他のＵＩ要素は、Ｗｅｂブラウザーの機能に関連付けられることができ、又はＷｅｂブラウザーの機能を表示することができる。
【０１７１】
本明細書において説明された主題の実施は、コンピューティングシステムにおいて実施されることができ。該コンピューティングシステムは、バックエンドコンポーネントを、例えばデータサーバとして含むか、又はミドルウェアコンポーネント、例えばアプリケーションサーバを含むか、又は、フロントエンドコンポーネント、例えば、本願において説明された主題の実施とユーザが相互にやり取りできるグラフィカルユーザインターフェイス又はＷｅｂブラウザーを有するクライアントコンピュータを含むか、又は、このようなバックエンド、ミドルウエア、又はフロントエンドのコンポーネントうちの１又は複数の組み合わせを含む。システムのコンポーネントは、有線又は無線のデジタルデータ通信（又はデータ通信の組み合わせ）の任意の形態又は媒体、例えば通信ネットワーク、によって相互に接続されることができる。通信ネットワークの例は、以下のものを包含する：ローカルエリアネットワーク（ＬＡＮ）、無線アクセスネットワーク（ＲＡＮ）、メトロポリタンエリアネットワーク（ＭＡＮ）、ワイドエリアネットワーク（ＷＡＮ）；ワールドワイド・インターオペラビリティ・フォー・マイクロウェーブ・アクセス（ＷＩＭＡＸ）；例えば８０２．１１ａ／ｂ／ｇ／ｎ若しくは８０２．２０（若しくは８０２．１１ｘ及び８０２．２０の組み合わせ、若しくは本願に整合する他のプロトコル）を用いるネットワーク（ＷＬＡＮ）；インターネットの一部若しくは全て；別の通信ネットワーク；又は通信ネットワークの組み合わせ。通信ネットワークは、例えば、インターネットプロトコル（ＩＰ）パケット、フレームリレーフレーム、非同期転送モード（ＡＴＭ）セル、音声、ビデオ、データ、又はネットワークアドレス間の他の情報と通信できる。
【０１７２】
コンピューティングシステムは、クライアント及びサーバを含むことができる。クライアント及びサーバは、一般的には、互いに離れており、また、典型的には、通信ネットワークを介して対話する。クライアント及びサーバの関係は、それぞれのコンピュータ上で動作しており互いにクライアント―サーバ関係を有するコンピュータプログラムによって生じる。
【０１７３】
本明細書は、多くの特定の実施の詳細を含む一方で、これらは、任意の発明の範囲又は請求されたものの範囲に対する制限として解釈されるべきではなく、むしろ、特定の発明の特定の実施に固有であり得る特徴の説明として解釈されるべきである。別個の実施の文脈において本願において説明された特定の機能は、また、組み合わせて、単一の実施において、実施されることができる。逆に、単一の実施の文脈において説明された様々な機能は、また、複数の実施において個別に、又は任意のサブコンビネーションにおいて、実施されることもできる。さらには、前述の特徴は、特定の組み合わせにおいて機能するものとして説明されるけれども、最初にそのようなものとして請求されたものでさえも、クレームされた組み合わせの１又は複数の特徴は、場合によっては、組み合わせから削除されることができ、またクレームされた組み合わせは、サブコンビネーション又はサブコンビネーションの変形に向けられることができる。
【０１７４】
主題の特定の実施が説明された。記載された実施の他の実施、変更、及び置換は、当業者には明らかであるように、以下の特許請求の範囲内にある。操作は、図面又は請求の範囲に特定の順序で描かれる一方で、これは、そのような操作が、望ましい結果を達成するために、示された特定の順序に若しくは順番に実行されること、又は全ての図示された操作が実行されること（いくつかの操作は任意的選択なものであるみなされる）、を要求するものとして理解されるべきではない。特定の状況では、マルチタスク又は並列処理（又はマルチタスク及び並列処理の組み合わせ）が有利であることができ、また適切と見なされたものとして実行されることができる。
【０１７５】
さらには、前述の実施における様々なシステムモジュール及びコンポーネントの分離又は統合は、全ての実施においてそのような分離又は統合が必要であると理解されるべきではなく、また説明されたプログラムコンポーネント及びシステムは、一般的には、１つのソフトウェア製品に一緒に統合され得ること、又は複数のソフトウェア製品にパッケージ化されることが理解されるべきである。
【０１７６】
これに従って、前述の例示的な実施は、本開示を規定せずまた制約しない。他の変更、置換、及び代替が、また、本願の精神及び範囲から逸脱することなく可能である。
【０１７７】
さらにまた、請求された実施が、少なくとも以下のものに適用可能であると見なされる：コンピュータにより実施される方法；コンピュータにより読み出し可能な命令を、コンピュータにより実施される該方法を実行するために格納するコンピュータにより読み出し可能な非一時的媒体；及び、コンピュータにより読み出し可能な非一時的な媒体に格納された該命令及びコンピュータにより実施される該方法を実行するように構成されたハードウェアプロセッサに相互に動作可能に結合されたコンピュータメモリを備えるコンピュータシステム。
【符号の説明】
【０１７８】
ＮＮ  ニューラルネットワーク
１００  方法
１０４  画像セグメンテーション
１０６ａ  ノイズカラースぺクトラム解析
１０６ｂ  グレースケールへの変換
１０６ｃ  背景補正
１０６ｄ  画像の書式設定
１１２  画像セグメンテーション
１１４ａ  画像クロッピング
１１４ｂ  関心のある領域
１１４ｃ  エッジ検出
１１４ｄ  閾値処理（閾値化）
１１４ｅ  ヒストグラムビニング
１１４ｆ  形態学的画像セグメンテーション
１２２ａ  経験的関係
１２２ｂ  データ操作
１２２ｃ  物理的関係
１２２ｄ  データ相関
２００  ＮＮ（ニューラルネットワーク）
２０２  入力層（第１層）
２０４  隠れ層
２０６  出力層
２０８  出力
５００ａ  プロット
５０２  サブプロット
５００ｂ  プロット
６００ａ  プロット
６０２  サブプロット
６００ｂ  プロット
７００  コンピュータシステム
７０２  コンピュータ
７０６  データベース
７０７  メモリ
７１２  アプリケーションプログラミングインターフェース（ＡＰＩ）
７１３  サービス層
７１２  ＡＰＩ
７１３  サービス層
７１６  画像データ
７１８  改善された画像データ
７２０  セグメント化画像データ
７３０  ネットワーク
【図１Ａ】
2020534456.tif 000008
【図１Ｂ】
2020534456.tif 000009
【図１Ｃ】
2020534456.tif 000010
【図１Ｄ】
2020534456.tif 000011
【図２】
2020534456.tif 000012
【図３Ａ】
2020534456.tif 000013
【図３Ｂ】
2020534456.tif 000014
【図３Ｃ】
2020534456.tif 000015
【図４Ａ】
2020534456.tif 000016
【図４Ｂ】
2020534456.tif 000017
【図４Ｃ】
2020534456.tif 000018
【図５Ａ】
2020534456.tif 000019
【図５Ｂ】
2020534456.tif 000020
【図６Ａ】
2020534456.tif 000021
【図６Ｂ】
2020534456.tif 000022
【図７】
2020534456.tif 000023
【国際調査報告】
2020534456.tif 000024
2020534456.tif 000025
2020534456.tif 000026